(57)【要約】      （修正有）【課題】ダウンリンク高度受信機パフォーマンス（ＤＡＲＰ）を有する複数の遠隔局に各遠隔局宛ての制御データおよび情報データを送信する方法を提供する。【解決手段】１つの遠隔局向の制御信号の送信が別の遠隔局向けの制御信号の送信に干渉しないように、複数の異なる遠隔局に対する制御信号の送信を時間的に移動させ、この移動は、遠隔局によって他の遠隔局向けの制御信号を同時に受信することを防止するのに十分である、セルラ通信システム。【選択図】図５
2014161073.tif 000002
【特許請求の範囲】
【請求項１】
第１のデータソースと、
時間基準と、
第１の時間遅延されたデータを生成するために、前記時間基準に対し時間オフセットだけ前記第１のデータを遅延させる、前記第１のデータソースおよび前記時間基準に結合された時間オフセットアロケータと、
第１の送信データを生成するために、前記第１の時間遅延されたデータを変調し、増幅し、送信する、前記時間オフセットアロケータに結合された送信機と、
前記時間オフセットアロケータの動作を制御するための、前記時間基準、前記時間オフセットアロケータ、および前記送信機に結合されたプロセッサと、
前記プロセッサが使用する第２のデータと命令とを記憶する、前記プロセッサに結合されたメモリと、前記第２のデータは第１の遅延値を表すデータを備える、
を備える送信装置であって、
前記送信装置は、前記時間基準および前記第１の遅延値に応じて、第１の時間遅延だけ前記第１のデータを遅延させるように構成された送信装置。
【請求項２】
前記第１の遅延値は、データフレームの総数に対応する請求項１に記載の送信装置。
【請求項３】
前記送信装置は、さらに、前記時間オフセットアロケータに結合された第３のデータソースを備え、
前記第２のデータは、第２の遅延値を表すデータをさらに備え、
前記送信装置は、さらに、第２の時間遅延されたデータを生成するために、前記時間基準および前記第２の遅延値に応じて、第２の時間遅延だけ前記第３のデータを遅延させるように構成され、
前記送信機は、さらに、第２の送信データを生成するために、前記第２の時間遅延されたデータを変調し、送信するように構成される、
請求項１に記載の送信装置。
【請求項４】
前記第１の時間遅延と前記第２の時間遅延は、少なくとも１フレームである量だけ異なる請求項３に記載の送信装置。
【請求項５】
前記第２の時間遅延は、前記第１のデータの持続時間以上である請求項３に記載の送信装置。
【請求項６】
前記送信機は、さらに、前記第１のデータの一部分を、前記第１のデータの残りの部分とは異なる量だけ増幅するように構成される請求項１または３に記載の送信装置。
【請求項７】
前記第１のデータの前記一部分はシグナリングデータを備え、前記残りの部分はトラヒックデータを備える請求項６に記載の送信装置。
【請求項８】
複数の宛先に制御データおよび情報データを送信する方法であって、
異なる宛先に向けられた制御データの前記送信は、単一の宛先における前記データの衝突を回避するために時間的にずらされ、制御データの前記送信の電力は、その制御データに関し意図される前記宛先までの距離に応じて調整される方法。
【請求項９】
１つの宛先に向けられた前記制御データは１つのソースから送信され、別の宛先に向けられた制御データは、別の異なるソースから送信される請求項８に記載の方法。
【請求項１０】
前記制御データは、単一のソースから前記複数の宛先に送信される請求項８に記載の方法。
【請求項１１】
制御データは、情報データと同時に送信されることが可能である請求項８、９、または１０のいずれか１つに記載の方法。
【請求項１２】
シグナリングデータを備える前記第１のデータの前記一部分は遅延させられ、トラヒックデータを備える前記第１のデータの別の異なる部分の少なくとも一部は遅延させられない請求項７に記載の送信装置。
【請求項１３】
前記第１の時間遅延されたデータと前記第２の時間遅延されたデータを同一の周波数および同一の時分割多元接続ＴＤＭＡのタイムスロットの中で送信する手段を備える請求項３に記載の送信装置。
【請求項１４】
前記第１のデータの第１の部分はシグナリングデータを備え、前記第１のデータの前記第１の部分とは異なる第２の部分はトラヒックデータを備え、
前記送信装置は、前記第１のデータの前記第２の部分を、不連続送信ＤＴＸを使用して送信する手段を備える、
請求項１または３に記載の送信装置。
【請求項１５】
フルレート未満であるデータレートで前記第１のデータの前記第２の部分を送信する手段をさらに備える請求項１４に記載の送信装置。
【請求項１６】
少なくとも１つの基地局と、複数の遠隔局とを備える通信システムであって、
前記遠隔局に向けられたトラヒックデータおよびシグナリングデータは、前記少なくとも１つの基地局によって、トラヒックフレームの定義された系列およびシグナリングフレームの定義された系列で送信され、
前記遠隔局の少なくとも２つは、その２つの遠隔局のそれぞれのトラヒックフレームおよびシグナリングフレームを、同時に、および同一の周波数で受信するように構成され、
前記少なくとも２つの遠隔局の前記系列は、前記２つの遠隔局のそれぞれについての前記シグナリングフレームが、前記定義された系列において異なる位置を占めるように定義されている、
通信システム。
【請求項１７】
前記トラヒックデータはトラヒック電力レベルで送信され、前記シグナリングデータはシグナリング電力レベルで送信され、
前記シグナリング電力レベルは、１つの遠隔局についてのシグナリングフレームと、別の遠隔局についてのトラヒックフレームとが同一の位置を占めるとき、前記トラヒック電力レベルより高くなるように制御される、
請求項１６に記載の通信システム。
【請求項１８】
請求項１６に記載の通信システムにおいて使用するための遠隔局であって、
前記遠隔局用の前記遠隔局向けのデータを、別の遠隔局向けのデータと一緒に、同一の周波数および同一のタイムスロット内で受信する第１の受信する手段と、
前記別の遠隔局向けのシグナリングデータを受信するために割り当てられた第２の時間間隔とは異なる第１の時間間隔中に、前記遠隔局用の前記遠隔局向けのシグナリングデータを受信する第２の受信する手段と、
前記遠隔局が前記第２の受信する手段を備えるという通知を送信する手段と、
を備える遠隔局。
【請求項１９】
前記第２の受信する手段は、前記別の遠隔局向けのトラヒックデータを送信するために割り当てられた時間間隔中に、前記遠隔局用の前記遠隔局向けの前記シグナリングデータを受信するように構成される請求項１８に記載の遠隔局。
【請求項２０】
通信システムの基地局において使用するための送信装置であって、
少なくとも２つの遠隔局向けのトラヒックデータおよびシグナリングデータを、トラヒックフレームの定義された系列およびシグナリングフレームの定義された系列で送信する手段を備え、前記少なくとも２つの遠隔局の前記系列は、前記２つの遠隔局のそれぞれに向けた前記シグナリングフレームが前記定義された系列中で異なる位置を占めるように定義されている、送信装置。
【請求項２１】
前記トラヒックデータをトラヒック電力レベルで送信する手段と、
前記シグナリングデータをシグナリング電力レベルで送信する手段と、
１つの遠隔局向けのシグナリングフレームと別の遠隔局に向けのトラヒックフレームとが同一の位置を占めるとき、前記トラヒック電力レベルより高くなるように前記シグナリング電力レベルを制御する手段と、
を備える請求項２０に記載の送信装置。
【請求項２２】
１つの遠隔局が、別の異なる遠隔局に向けのシグナリングデータを送信するために割り当てられた第２の時間間隔とは異なる第１の時間間隔中に送信されたシグナリングデータを受信することができるという通知を受信する手段と、
前記第１の時間間隔中に前記１つの遠隔局向けのシグナリングデータを送信し、前記第２の時間間隔中に別の異なる遠隔局向けのシグナリングデータを送信する手段と、
を備える請求項２０または２１に記載の送信装置。
【請求項２３】
さらに、不連続送信ＤＴＸを使用して前記トラヒックデータを送信する手段を備える請求項２０から２２のいずれか１つの記載の送信装置。
【請求項２４】
プロセッサと、
前記プロセッサと電子通信するメモリと、
前記メモリに記憶された命令と、
を備え、
前記命令は前記プロセッサが、少なくとも２つの遠隔局向けのトラヒックデータおよびシグナリングデータを、トラヒックフレームの定義された系列およびシグナリングフレームの定義された系列で送信することを可能にし、前記少なくとも２つの遠隔局の前記系列は、前記２つの遠隔局のそれぞれに向けた前記シグナリングフレームが前記定義された系列中で異なる位置を占めるように定義されている、
送信装置。
【請求項２５】
コンピュータにデータを送信させるコードを含むコンピュータ可読媒体を備えるコンピュータプログラム製品であって、
前記コードは、
少なくとも２つの遠隔局向けのトラヒックデータおよびシグナリングデータを、トラヒックフレームの定義された系列およびシグナリングフレームの定義された系列で送信させるコードを含み、前記少なくとも２つの遠隔局の前記系列は、前記２つの遠隔局のそれぞれに向けた前記シグナリングフレームが前記定義された系列中で異なる位置を占めるように定義されている、
コンピュータプログラム製品。
【発明の詳細な説明】
【優先権の主張】
【０００１】
本特許出願は、本特許出願の譲受人に譲渡され、参照により本明細書に明確に組み込まれている、２００９年５月１１に出願した「ＴＩＭＥ  ＳＨＩＦＴＩＮＧ  ＯＦ  ＣＯ−ＣＨＡＮＮＥＬ  ＤＡＴＡ  ＴＲＡＮＳＭＩＳＳＩＯＮＳ  ＴＯ  ＲＥＤＵＣＥ  ＣＯ−ＣＨＡＮＮＥＬ  ＩＮＴＥＲＦＥＲＥＮＣＥ」という名称の米国特許仮出願第６１／１７７，２０７号の優先権を主張するものである。
【技術分野】
【０００２】
本発明は、一般に、通信システムに関する。本発明は、詳細には、通信システムにおいて使用するための送信機、通信システムにおいて制御データおよび情報データを送信する方法、および通信システムにおいて使用するための遠隔局に関する。
【背景技術】
【０００３】
最新のモバイルセルラ電話機は、従来の音声呼、およびデータ呼を提供することができる。両方のタイプの呼の需要が、増加しつづけており、ネットワーク容量がますます要求されている。ネットワーク事業者は、ネットワーク事業者の容量を増加させることによって、この要求に対処する。このことは、例えば、セルを分割すること、またはセルを追加することによって、したがって、ハードウェア費用を増大させる、さらなる基地局を追加することによって達せられる。特に、小さい区域内に位置する多数のユーザまたは加入者が一度にネットワークにアクセスすることを所望する、国際サッカー試合または大規模な祭典などの大規模なイベント中の普通よりも大きいピーク需要に対処するように、ハードウェア費用を不当に増大させることなく、ネットワーク容量を増加させることが望ましい。
【０００４】
第１の遠隔局に通信のためのチャネルが割り当てられると、第２の遠隔局は、第１の遠隔局がその割り当てられたチャネルを使用することを終えた後でないと、そのチャネルを使用することができない。セル内で、割り当てられたすべてのチャネルが使用されている場合に、最大セル容量が達せられる。このことは、追加のいずれの遠隔局もサービスを得ることができないことを意味する。同一チャネル干渉（ＣＣＩ）、および隣接チャネル干渉（ＡＣＩ）が、ネットワーク容量をさらに制限し、後段で説明される。
【０００５】
ネットワーク事業者は、いくつかの方法でこの問題に対処しており、これらの方法のすべてが、さらなるリソース、およびさらなる費用を用いる。例えば、１つのアプローチは、セクタに区切られた、つまり、指向性のアンテナアレイを使用することによって、セルをセクタに分割することである。各セクタは、セル内の遠隔局のサブセットに通信を提供することができ、異なるセクタにおける遠隔局間の干渉は、セルがセクタに分割されなかったとした場合と比べて、より小さい。別のアプローチは、セルを分割して、それぞれの、より小さい新たなセルが基地局を有する、より小さいセルにすることである。これらのアプローチは、追加されるネットワーク機器のため、実施するのに高い費用がかかる。さらに、セルを追加すること、またはセルを、より小さいセルに分割することは、セル間の距離が小さくなるため、１つのセル内の遠隔局が、隣接するセルから、より多くのＣＣＩ干渉およびＡＣＩ干渉を経験することをもたらす。
【０００６】
別のアプローチによれば、基地局１１０、１１１、１１４が、マルチユーザオンワンスロット（ＭＵＲＯＳ）またはボイスサービスオーバアダプティブマルチユーザオンワンタイムスロット（ＶＡＭＯＳ）という総称で知られている方法により動作することによって、各信号が２名のユーザのうち１名に向けられた、同一のチャネル上で２つの信号を送信することが可能である。これらの方法によれば、各信号に関して異なるトレーニング系列が使用される。
【０００７】
１つの遠隔局が、同一のチャネル上で、その遠隔局自らの求められるＳＡＣＣＨデータと、別の遠隔局に向けられた不要なＳＡＣＣＨデータを同時に受信することが可能である。その１つの遠隔局が、その遠隔局自らの求められるＳＡＣＣＨデータを受信するレベルより高い、例えば、１０ｄＢ高い、電力レベルで不要なＳＡＣＣＨデータを受信した場合、その不要なＳＡＣＣＨデータは、求められるＳＡＣＣＨデータに干渉して、受信された求められるＳＡＣＣＨデータの品質が、その１つの遠隔局によって呼を維持するには余りにも大きく低下させられる可能性がある。
【０００８】
２００８年１２月４日に出願され、本特許出願の譲受人に譲渡された係属中の国際特許出願ＰＣＴ／ＵＳ２００８／０８５５６９が、ＡＭＲなどの、より新しいコーデックが、劣悪な無線チャネル条件を経験しているチャネルのために、より低いビットレートモードが使用されることを許すことを説明する。シグナリングチャネル（例えば、ＳＡＣＣＨ）のためのビットレートを調整するそのような機構は、一般に、存在せず、したがって、シグナリングデータは、トラヒックデータと比べて、チャネル劣化から、それほどよく保護されていない。ＳＡＣＣＨデータは、ＳＡＣＣＨが冗長性を全く有さない、すなわち、すべてのＳＡＣＣＨフレームが、より少ない誤りを有して受信されなければならないため、トラヒック（ＴＣＨ）データと比べて、同一チャネル動作によって受ける悪影響がより大きい。
【０００９】
ＤＴＸは、ワイヤレスデバイス（例えば、遠隔局）のマイクロフォンに有意な音声入力が全く存在しない場合に、音声データの送信を一時的に中断することによって、ワイヤレスデバイスの全体的な効率を向上させる方法である。通常、双方向の会話の際、遠隔局のユーザは、時間の半分よりわずかに短い間話す。送信のデューティサイクルは、送信機信号が、音声入力の期間中にだけオンに切り換えられる場合、５０パーセント未満に削減され得る。このことは、干渉を低減すること、およびバッテリ電力を節約することによって、効率を向上させる。
【００１０】
進行中の音声呼は、低速の関連する制御チャネル（ＳＡＣＣＨ）上でメッセージ送信することによって維持される。ＳＡＣＣＨは、各ＳＡＣＣＨ期間中に１回、送信される。ＤＴＸは、音声フレーム中に動作させられる。ＳＡＣＣＨシグナリングフレームは、このＤＴＸモードを使用しない。つまり、ＳＡＣＣＨは、ＴＣＨがＤＴＸから利益を得るのと同一の仕方では、ＤＴＸから利益を得ない可能性がある。ペアにされた２つの遠隔局の第１の遠隔局に関するＳＡＣＣＨの干渉は、ペアにされた第２の遠隔局の受信機において絶えず存在する。
【００１１】
したがって、特定の受信機に向けられた干渉センシティブなデータを、その特定の受信機に向けられていない他の干渉するデータから、よりよく保護することを提供する必要性が存在する。
【発明の概要】
【００１２】
本発明の特徴は、添付の特許請求の範囲において詳細に記載され、それらの特徴の利点とともに、本発明の実施例の以下の詳細な説明を考慮することで、より明確となろう。本発明の範囲内の様々な変更および変形が、当業者には明白となろう。それらの実施例は、添付の図面を参照して説明される。
【図面の簡単な説明】
【００１３】
【図１】送信機および受信機を示すブロック図。
【図２】図１に示される受信機の受信機ユニットおよび復調器を示すブロック図。
【図３】ＴＤＭＡシステムにおける例示的なフレームフォーマットおよびバーストフォーマットを示す図。
【図４】ＴＤＭＡセルラシステムの一部を示す図。
【図５】ＴＤＭＡ通信システムに関するタイムスロットの例示的な配置を示す図。
【図６】２つの遠隔局に同一のチャネルを割り当てるように適合されたＴＤＭＡセルラシステムの一部を示す簡略化された図。
【図７】セルラ通信システムの基地局コントローラ（ＢＳＣ）内に存在することが可能なメモリサブシステム内のデータストレージに関する例示的な構成を示す図。
【図８】１つの遠隔局によって既に使用中のチャネルを別の遠隔局に割り当てる方法を示すフローチャート。
【図９】図８によって表される方法が基地局コントローラに存在する装置を示す概略図。
【図１０】強化された同一チャネル阻止能力を有する遠隔局のための受信機アーキテクチャを示す図。
【図１１ａ】同一チャネル動作のための受信装置を選択するのに適した送信装置を示す概略図。
【図１１ｂ】同一チャネル動作のための受信装置を選択するのに適した受信装置を示す概略図。
【図１２Ａ】同一チャネルのデータを備えるディスカバリバーストをそれぞれ含むまたは含まないデータフレームの系列を示す概略図。
【図１２Ｂ】同一チャネルのデータを備えるディスカバリバーストをそれぞれ含むまたは含まないデータフレームの系列を示すさらなる概略図。
【図１３】同一チャネル動作のための受信装置を選択する方法を示すフローチャート。
【図１４】同一チャネル動作のための受信装置を選択する方法を示すさらなるフローチャート。
【図１５】異なるコーデックについての異なるレベルの信号対雑音比の下におけるＦＥＲパフォーマンスを示すグラフ。
【図１６】異なるコーデックについての異なるレベルの搬送波対干渉比の下におけるＦＥＲパフォーマンスを示すグラフ。
【図１７】一連のＳＡＣＣＨ期間についての１つのＳＡＣＣＨ期間内のディスカバリバーストの数を漸進的に増加させる方法を示すフローチャート。
【図１８】単一のチャネルを共有する第１の信号と第２の信号を生成する多ように多元接続通信システムにおいて動作する装置を示す図。
【図１９】レガシーＶＡＭＯＳモードにおけるトラヒックチャネルハーフレート音声（ＴＣＨ／ＨＳ）、および低速の関連する制御チャネル／ハーフレート音声（ＳＡＣＣＨ／ＨＳ）についてのＴＤＭＡフレームマッピングの例を示す図。
【図２０】シフテッド（Ｓｈｉｆｔｅｄ）ＳＡＣＣＨモードにおけるトラヒックチャネルハーフレート音声（ＴＣＨ／ＨＳ）、および低速の関連する制御チャネル／ハーフレート音声（ＳＡＣＣＨ／ＨＳ）についてのＴＤＭＡフレームマッピングの例を示す図。
【図２１】１％ＦＥＲのＳＡＣＣＨによって使用されるＣ／Ｉ対１％ＦＥＲのためのＴＣＨに使用されるＣ／ＩのＤＴＸパフォーマンス分析を示す図。
【図２２Ａ】ＤＴＸなしのＴＣＨおよびＳＡＣＣＨパフォーマンスを示すグラフ。
【図２２Ｂ】ＤＴＸありのＴＣＨおよびＳＡＣＣＨパフォーマンスと、ＤＴＸなしのＴＣＨおよびＳＡＣＣＨパフォーマンスを示すグラフ。
【発明を実施するための形態】
【００１４】
他のユーザに起因する干渉は、ワイヤレスネットワークのパフォーマンスを制限する。この干渉は、前述した、同一チャネル干渉（ＣＣＩ）として知られる、同一の周波数上の隣接するセルからの干渉、またはやはり前述した、隣接チャネル干渉（ＡＣＩ）として知られる、同一のセル上の隣接する周波数からの干渉の形態をとり得る。
【００１５】
添付の図面の図１は、ワイヤレス通信システムにおける送信機１１８および受信機１５０のブロック図を示す。ダウンリンクに関して、送信機１１８は、基地局の一部であり、受信機１５０は、ワイヤレスデバイス（遠隔局）の一部である。アップリンクに関して、送信機１１８は、遠隔局などのワイヤレスデバイスの一部であり、受信機１５０は、基地局の一部である。基地局は、一般に、ワイヤレスデバイスと通信する固定局であり、ノードＢ、発展型（evolved）ノードＢ（ｅノードＢ）、アクセスポイントなどと呼ばれることも可能である。ワイヤレスデバイスは、固定型であっても、移動型であってもよく、遠隔局、移動局、ユーザ機器、モバイル機器、端末装置、遠隔局、アクセス端末装置、局などと呼ばれ得る。ワイヤレスデバイスは、セル電話機、携帯情報端末（ＰＤＡ）、ワイヤレスモデム、ワイヤレス通信デバイス、ハンドヘルドデバイス、加入者ユニット、ラップトップコンピュータなどであり得る。
【００１６】
送信機１１８において、送信（ＴＸ）データプロセッサ１２０が、データを受け取り、処理して（例えば、フォーマットし、符号化し、さらにインターリーブして）、符号化されたデータをもたらす。変調器１３０は、符号化されたデータに対して変調を実行し、変調された信号をもたらす。送信機ユニット（ＴＭＴＲ）１３２は、変調された信号を調整し（例えば、フィルタリングし、増幅し、さらにアップコンバートし）、ＲＦ変調された信号を生成し、このＲＦ変調された信号が、アンテナ１３４を介して送信される。
【００１７】
受信機１５０において、アンテナ１５２が、送信機１１０からの送信されたＲＦ変調された信号を、他の送信機からの送信されたＲＦ変調された信号と一緒に受信する。アンテナ１５２は、受信されたＲＦ信号を受信機ユニット（ＲＣＶＲ）１５４に供給する。受信機ユニット１５４は、受信されたＲＦ信号を調整し（例えば、フィルタリングし、増幅し、さらにダウンコンバートし）、この調整された信号をデジタル化し、サンプルをもたらす。復調器１６０は、これらのサンプルを処理し、復調されたデータをもたらす。受信（ＲＸ）データプロセッサ１７０が、この復調されたデータを処理して（例えば、ディインターリーブし、復号して）、復号されたデータをもたらす。一般に、復調器１６０およびＲＸデータプロセッサ１７０による処理は、それぞれ、送信機１１０における変調器１３０およびＴＸデータプロセッサ１２０による処理と相補的である。
【００１８】
ワイヤレス通信システムにおいて、データは、多重化技術を使用して多重化されて、複数の遠隔局１２３〜１２７（それぞれが受信機１５０を備える）が単一の基地局１１０、１１１、１１４（送信機１１８を備える）と通信することが可能にされる。多重化技術の例が、周波数分割多重化（ＦＤＭ）、ならびに時分割多重化（ＴＤＭ）または時分割多元接続（ＴＤＭＡ）である。これらの技術の基礎をなす概念は、後段で説明される。
【００１９】
コントローラ／プロセッサ１４０および１８０は、それぞれ、送信機１１８および受信機１５０における動作を制御／指示する。メモリ１４２および１８２は、コンピュータソフトウェアの形態でプログラムコード、ならびに送信機１１８および受信機１５０によって使用されるデータを格納する。
【００２０】
添付の図面の図２は、図１に示される受信機１５０の受信機ユニット１５４および復調器１６０のブロック図を示す。受信機ユニット１５４内で、受信チェーン４４０が、受信されたＲＦ信号を処理して、ＩｂｂおよびＱｂｂとして表されるＩベースバンド信号およびＱベースバンド信号をもたらす。受信チェーン４４０は、低雑音増幅、アナログフィルタリング、直交ダウンコンバージョン（ｑｕａｄｒａｔｕｒｅ  ｄｏｗｎｃｏｎｖｅｒｓｉｏｎ）などを実行することが可能である。アナログ−デジタル変換器（ＡＤＣ）４４２が、ｆａｄｃのサンプリングレートでＩベースバンド信号およびＱベースバンド信号をデジタル化して、ＩａｄｃおよびＱａｄｃとして表される、Ｉ個のサンプルおよびＱ個のサンプルをもたらす。一般に、ＡＤＣサンプリングレートｆａｄｃは、任意の整数係数または非整数係数によってシンボルレートｆｓｙｍと関係する。
【００２１】
復調器１６０内で、プリプロセッサ４２０が、ＡＤＣ４４２からのＩおよびＱサンプルに対して前処理を実行する。例えば、プリプロセッサ４２０は、直流オフセット（ＤＣ）を取り除くこと、周波数オフセットを取り除くこと、自動利得制御（ＡＧＣ）を適用することなどが可能である。入力フィルタ４２２が、特定の周波数応答に基づいて、プリプロセッサ４２０からのサンプルをフィルタリングし、ＩｉｎおよびＱｉｎとして表される、入力ＩおよびＱサンプルをデータフィルタ４２２に供給する。データフィルタ４２２は、これらＩおよびＱサンプルをフィルタリングして、ＡＤＣ４４２によるサンプリングからもたらされる画像、ならびにジャマ（ｊａｍｍｅｒ）を除去する。また、フィルタ４２２は、例えば、２４Ｘオーバサンプリングから２Ｘオーバサンプリングに下げる、サンプルレート変換を実行する。データフィルタ４２４は、別の周波数応答に基づいて、入力フィルタ４２２からの入力ＩおよびＱサンプルをフィルタリングして、ＩｏｕｔおよびＱｏｕｔと表される、出力ＩおよびＱサンプルをもたらす。フィルタ４２２および４２４は、有限インパルス応答（ＦＩＲ）フィルタ、無限インパルス応答（ＩＩＲ）フィルタ、または他のタイプのフィルタを使用して実施される。フィルタ４２２および４２４の周波数応答は、良好なパフォーマンスを実現するように選択される。一例において、フィルタ４２２の周波数応答は、固定であり、フィルタ４２４の周波数応答は、構成可能である。
【００２２】
隣接チャネル干渉（ＡＣＩ）検出器４３０は、フィルタ４２２からの入力ＩおよびＱサンプルを受け取り、受信されたＲＦ信号のＡＣＩを検出し、ＡＣＩ指標（indicator）信号をフィルタ４２４に供給する。ＡＣＩ指標信号は、ＡＣＩが存在するか否かを示し、存在する場合、そのＡＣＩが、＋２００ＫＨｚを中心とするより高いＲＦチャネルに起因するかどうか、および／または−２００ＫＨｚを中心とするより低いＲＦチャネルに起因するかどうかを示す。フィルタ４２４の周波数応答は、良好なパフォーマンスを実現するように、このＡＣＩ指標に基づいて調整される。
【００２３】
等化器／検出器４２６が、フィルタ４２４からの出力ＩおよびＱサンプルを受け取り、これらのサンプルに対して等化、整合フィルタリング、検出、および／またはその他の処理を実行する。例えば、等化器／検出器４２６は、ＩおよびＱサンプルの系列が与えられると、送信された尤度が最も高いシンボルの系列とチャネル推定とを決定する最尤系列推定器（ＭＬＳＥ）が実装される。
【００２４】
ＴＤＭＡシステムにおいて、各基地局１１０、１１１、１１４に、１つまたは複数のチャネル周波数が割り当てられ、各チャネル周波数は、タイムスロットとして知られる時間の異なる間隔中に異なるユーザによって使用される。例えば、各搬送周波数に、連続する８つのタイムスロットが１つのＴＤＭＡフレームを形成するように８つのタイムスロット（タイムスロット０から７というラベルが付けられる）が割り当てられる。物理チャネルは、ＴＤＭＡフレーム内に１つのチャネル周波数と、１つのタイムスロットとを備える。それぞれのアクティブワイヤレスデバイス／ユーザには、呼の持続時間について１つまたは複数のタイムスロットインデックスが割り当てられる。例えば、音声呼中、ユーザには、任意の時点で１つのタイムスロット（したがって、１つのチャネル）が割り当てられている。各ワイヤレスデバイスに対するユーザ固有のデータが、そのワイヤレスデバイスに割り当てられたタイムスロット内で、およびトラヒックチャネルのために使用されるＴＤＭＡデータフレーム内で送られる。
【００２５】
添付の図面の図３は、ＴＤＭＡシステムにおける例示的なフレームフォーマットおよびバーストフォーマットを示す。ＴＤＭＡシステムにおいて、フレーム内の各タイムスロットは、データの「バースト」を送信するために使用される。ときとして、タイムスロットという用語と、バーストという用語は、交換可能に使用され得る。各バーストは、２つのテールフィールドと、２つのデータフィールドと、トレーニング系列（またはミッドアンブル）フィールド、と、ガード期間（この図でＧＰというラベルが付けられた）とを含む。各フィールド内のシンボルの数は、図３で括弧内に示される。バーストは、テールフィールド、データフィールド、およびミッドアンブルフィールドについて１４８個のシンボルを含む。ガード期間内にシンボルは全く送られない。特定の搬送周波数のＴＤＭＡフレームは番号付けされ、マルチフレームと呼ばれる２６個または５１個のＴＤＭＡフレームのグループに形成される。
【００２６】
ユーザ固有のデータを送るのに使用されるトラヒックチャネルにおいて、この例における各マルチフレームは、ＴＤＭＡフレーム０から２５というラベルが付けられた２６個のＴＤＭＡフレームを含む。これらのトラヒックチャネルは、各マルチフレームのＴＤＭＡフレーム０から１１の中で、およびＴＤＭＡフレーム１３から２４の中で送られる。制御チャネルは、ＴＤＭＡフレーム１２内で送られる。ワイヤレスデバイスによって、隣接基地局１１０、１１１、１１４の測定を行うのに使用されるアイドルＴＤＭＡフレーム２５内では、データは全く送られない。
【００２７】
添付の図面の図４は、ＴＤＭＡセルラシステム１００の一部を示す。このシステムは、基地局１１０、１１１、および１１４と、遠隔局１２３、１２４、１２５、１２６、および１２７とを備える。基地局コントローラ１４１から１４４は、移動交換局１５１、１５２の制御の下で、異なる遠隔局１２３〜１２７に信号をルーティングするとともに、それらの遠隔局１２３〜１２７から信号をルーティングするように動作する。移動交換局１５１、１５２は、公衆交換電話網（ＰＳＴＮ）１６２に接続される。遠隔局１２３〜１２７は、通常、ハンドヘルドモバイルデバイスであるものの、多くの固定ワイヤレスデバイス、およびデータを扱うことができるワイヤレスデバイスも、遠隔局１２３〜１２７の総称の下に入る。
【００２８】
例えば、音声データを伝送する信号が、移動交換局１５１、１５２の制御の下で基地局コントローラ１４１〜１４４によって遠隔局１２３〜１２７のそれぞれと、その他の遠隔局１２３〜１２７の間で転送される。代替として、例えば、音声データを伝送する信号が、公衆交換電話網１６２を介して、遠隔局１２３〜１２７のそれぞれと、他の通信ネットワークの他の通信機器の間で転送される。公衆交換電話網１６２は、呼が、モバイルセルラシステム１００と他の通信システムの間でルーティングされることを許す。そのような他のシステムには、様々なタイプの、さらに様々な標準に準拠する他のモバイルセルラ通信システム１００が含まれる。
【００２９】
遠隔局１２３〜１２７のそれぞれは、いくつかの基地局１１０、１１１、１１４のうちのいずれか１つによりサービスされる。遠隔局１２４は、サービング基地局１１４によって送信された信号と、近くの非サービング基地局１１０、１１１によって送信され、他の遠隔局１２５にサービスすることを意図する信号との両方を受信する。
【００３０】
基地局１１０、１１１、１１４からの異なる信号の強度は、遠隔局１２４によって定期的に測定されて、ＢＳＣ１４４、１１４などに報告される。近くの基地局１１０、１１１からの信号が、サービング基地局１１４の信号より強くなった場合、移動交換局（ＭＳＣ）１５２は、その近くの基地局１１０、１１１をサービング基地局にさせるように動作し、サービング基地局１１４を非サービング基地局にさせるように動作する。このため、ＭＳＣ１５２は、近くの基地局１１０への遠隔局のハンドオーバを実行する。ハンドオーバとは、１つのチャネルから別のチャネルにデータセッションまたは進行中の呼を移行させる方法を指す。
【００３１】
セルラモバイル通信システムにおいて、無線リソースは、いくつかのチャネルに分割される。それぞれのアクティブ接続（例えば、音声呼）に、ダウンリンク信号（基地局１１０、１１１、１１４によって遠隔局１２３〜１２７に送信され、遠隔局１２３〜１２７によって受信される）のための特定のチャネル周波数を有する特定のチャネル、およびアップリンク信号（遠隔局１２３〜１２７によって基地局１１０、１１１、１１４に送信され、基地局１１０、１１１、１１４によって受信される）のための特定のチャネル周波数を有するチャネルが割り当てられる。ダウンリンク信号のための周波数とアップリンク信号のための周波数はしばしば異なり、その結果、同時の送受信を可能にし、さらに遠隔局１２３〜１２７において、または基地局１１０、１１１、１１４において送信される信号の間、および受信される信号の間の干渉を低減する。このことは、周波数分割複信（ＦＤＤ）として知られる。
【００３２】
添付の図面の図５は、ＴＤＭＡ通信システムに関するタイムスロットの例示的な構成を示す。基地局１１４が、番号を付けられたタイムスロットの系列３０の中でデータ信号を送信し、各信号は、遠隔局１２３〜１２７のセットのうちの１つの遠隔局だけに向けられ、各信号は、送信された信号の範囲内のすべての遠隔局１２３〜１２７のアンテナにおいて受信される。基地局１１４は、割り当てられたチャネル周波数上のタイムスロットを使用して、すべての信号を送信する。このため、それぞれの周波数とタイムスロットの組合せが、通信のためのチャネルを構成する。例えば、第１の遠隔局１２４と第２の遠隔局１２６にはともに、同一のチャネル周波数が割り当てられる。第１の遠隔局１２４には、第１のタイムスロット３が割り当てられ、第２の遠隔局１２６には、第２のタイムスロット５が割り当てられる。基地局１１４は、この例では、タイムスロットの系列３０のタイムスロット３の間に、第１の遠隔局１２４向けの信号を送信し、さらにタイムスロットの系列３０のタイムスロット５の間に、第２の遠隔局１２６向けの信号を送信する。
【００３３】
第１の遠隔局１２４、および第２の遠隔局１２６は、タイムスロット系列３０の遠隔局１２４、１２６のそれぞれのタイムスロット３および５の間、アクティブであり、基地局１１４から信号を受信する。遠隔局１２４、１２６は、アップリンクでタイムスロット系列３１の対応するタイムスロット３および５の間、基地局１１４に信号を送信する。基地局１１４が送信する（そして遠隔局１２４、１２６が受信する）タイムスロット３０は、遠隔局１２４、１２６が送信する（そして基地局１１４が受信する）タイムスロット３１に対して時間的にずれていることが見て取れる。
【００３４】
送信タイムスロットと受信タイムスロットとの、この時間的なずれは、時分割複信（time division duplexing (TDD)）として知られており、ＴＤＤは、とりわけ、送信動作と受信動作が異なる時点で行われることを許す。
【００３５】
基地局１１０、１１１、１１４と遠隔局１２３〜１２７の間で送信される信号は、音声信号およびデータ信号だけではない。制御チャネルが、基地局１１０、１１１、１１４と遠隔局１２３〜１２７との間の通信の様々な態様を制御するデータを送信するのに使用される。とりわけ、基地局１１０、１１１、１１４は、制御チャネルを使用して、系列符号、つまり、基地局１１０、１１１、１１４がどの系列のセットを、遠隔局１２３〜１２７に信号を送信するのに使用するかを示すトレーニング系列符号（ＴＳＣ）を、遠隔局１２３〜１２７に送る。ＧＳＭ（登録商標）において、２６ビットのトレーニング系列が、等化のために使用される。この系列は、各バーストの中央の信号内で送信される既知系列である。
【００３６】
これらの系列は、遠隔局１２３〜１２７によって、時間とともに急速に変化するチャネル劣化を補償し、他のセクタもしくはセルからの干渉を低減し、さらに遠隔局の受信機を受信信号に同期させるのに使用される。これらの機能は、遠隔局１２３〜１２７の受信機の一部である等化器によって実行される。等化器４２６は、送信された既知のトレーニング系列信号がマルチパスフェージングによってどのように変更されたかを決定する。等化器は、この情報を使用して、マルチパスフェージングによって壊された所望の信号の部分を抽出する逆フィルタを構築することによって、信号の不要な反射から所望の信号を抽出する。互いに近接している基地局１１０、１１１、１１４によって送信される系列の間の干渉を低減するために、異なる基地局１１０、１１１、１１４によって異なる系列（および関連する系列符号）が送信される。
【００３７】
強化された同一チャネル阻止能力を有する受信機を備える遠隔局１２３〜１２７は、その系列を使用して、基地局１１０、１１１、１１４によって遠隔局１２３〜１２７に送信された信号を、他の基地局１１０、１１１、１１４によって送信された他の不要な信号から区別することができる。このことは、不要な信号の受信された振幅または電力レベルが、求められる信号の振幅を基準とするしきい値を下回っている限り成立する。不要な信号は、それらの信号が、このしきい値を超える振幅を有する場合、求められる信号に干渉をもたらす可能性がある。しきい値は、遠隔局１２３〜１２７の受信機の能力に応じて異なることが可能である。干渉する信号と所望の（または求められる）信号は、例えば、サービング基地局と非サービング基地局１１０、１１１、１１４からの信号が、送信のために同一のタイムスロットを共有する場合、遠隔局１２３〜１２７の受信機に同時に着信する可能性がある。強化された同一チャネル阻止能力を有する遠隔局１２３〜１２７の例が、ダウンリンク高度受信機パフォーマンス（ＤＡＲＰ）を有する受信機を備える遠隔局１２３〜１２７であり、ＤＡＲＰは、ＴＤＭＡシステムの例であるＧＳＭ（登録商標）（Global System for Mobile communication））として知られているシステムを規定する標準などのセルラ標準において説明されている。
【００３８】
ＤＡＲＰによって強化された同一チャネル阻止能力を有する遠隔局１２３〜１２７は、トレーニング系列を使用して、第１の信号の振幅と第２の信号の振幅が互いに実質的に、例えば、１０ｄＢの範囲内にある場合に、第１の信号を第２の信号から区別することができ、さらに第１の信号を復調および使用することができる。各ＤＡＲＰ移動局は、別の移動局１２３〜１２７に向けられた信号を同一チャネル干渉（ＣＣＩ）として扱い、その干渉を阻止する。
【００３９】
図４を再び参照すると、遠隔局１２４において、遠隔局１２５に向けられた基地局１１０からの送信が、遠隔局１２４に向けられた基地局１１４からの送信に干渉する可能性がある。干渉する信号のパスは、破線矢印１７０で示される。同様に、遠隔局１２５において、遠隔局１２４に向けられた基地局１１４からの送信が、遠隔局１２５に向けられた基地局１１０からの送信に干渉する可能性がある（干渉する信号のパスは、破線矢印１８２で示される）。
【表１】
2014161073.tif 000003
【００４０】
前掲の表１は、図４に示される２つの基地局１１０および１１４によって送信される信号に関するパラメータの例示的な値を示す。この表の行３および行４における情報は、遠隔局１２４に関して、第１の基地局１１４からの求められる信号と、第２の基地局１１０からの、遠隔局１２５に向けられた不要の干渉する信号がともに受信され、この受信される２つの信号が、同一のチャネル、および同様の電力レベル（それぞれ−８２ｄＢｍおよび−８１ｄＢｍ）を有することを示す。同様に、行６および行７における情報は、遠隔局１２５に関して、第２の基地局１１０からの求められる信号と、第１の基地局１１４からの、遠隔局１２４に向けられた不要の干渉する信号とがともに受信され、この受信される２つの信号が、同一のチャネル、および同様の電力レベル（それぞれ−８０ｄＢｍおよび−７９ｄＢｍ）を有することを示す。
【００４１】
このため、各遠隔局１２４、１２５は、同一チャネル上で（すなわち、同時に）、異なる基地局１１４、１１０からの同様の電力レベルを有する求められる信号と不要な干渉する信号をともに受信する。この２つの信号は、同一チャネル上で、同様の電力レベルで着信するため、互いに干渉する。このことは、求められる信号の復調および復号の際に誤りを生じさせる可能性がある。この干渉は、前述した同一チャネル干渉である。
【００４２】
同一チャネル干渉は、ＤＡＲＰ対応の遠隔局１２３〜１２７、および強化された同一チャネル阻止能力を有する基地局１１０、１１１、１１４の使用によって、以前に可能であったよりも大幅に軽減されることが可能である。ＤＡＲＰ能力は、単一アンテナ干渉除去（ＳＡＩＣ）として知られている方法によって、またはデュアルアンテナ干渉除去（ＤＡＩＣ）として知られている方法によって実施されることが可能である。
【００４３】
ＤＡＲＰフィーチャ（feature）は、受信される同一チャネル信号の振幅が同様である場合に、よりよく機能する。この状況は、異なる基地局１１０、１１１、１１４とそれぞれが通信している２つの遠隔局１２３〜１２７のそれぞれが、各基地局１１０、１１１、１１４から各遠隔局１２３〜１２７に至るパスロスが同様であるセル境界近くに存在する場合に、通常、生じる。
【００４４】
これに対して、ＤＡＲＰ対応でない遠隔局１２３〜１２７は、不要な同一チャネルの干渉する信号が、求められる信号の振幅より低い振幅または電力レベルを有する場合に限って、求められる信号を復調することが可能である。一例において、その振幅または電力レベルは、受信機が求められる信号を復調することを許すために、少なくとも８ｄＢ低くなければならない。したがって、ＤＡＲＰ対応の遠隔局１２３〜１２７は、ＤＡＲＰ能力を有さない遠隔局１２３〜１２７が許容できるのと比べて、求められる信号に対して、はるかに高い振幅の同一チャネルの信号を許容することができる。
【００４５】
同一チャネル干渉（ＣＣＩ）比は、ｄＢ単位で表現された、求められる信号の電力レベルまたは振幅と、不要な信号の電力レベルまたは振幅の比である。一例において、同一チャネル干渉比は、例えば、−６ｄＢであることが可能である（このため、求められる信号の電力レベルは、同一チャネルの干渉する（不要な）信号の電力レベルより６ｄＢ低い）。別の例において、この比は、＋６ｄＢであることが可能である（このため、求められる信号の電力レベルは、同一チャネルの干渉する（不要な）信号の電力レベルより６ｄＢ高い）。良好なパフォーマンスを有するＤＡＲＰ対応の遠隔局１２３〜１２７の場合、遠隔局１２３〜１２７は、干渉する信号の振幅が、求められる信号の振幅より約１０ｄＢ高い場合でも、求められる信号を依然として処理することができる。干渉する信号の振幅が、求められる信号の振幅より１０ｄＢ高い場合、同一チャネル干渉比は、−１０ｄＢである。
【００４６】
前述したＤＡＲＰ能力は、ＡＣＩまたはＣＣＩが存在する状況で、遠隔局１２３〜１２７による信号の受信を向上させる。ＤＡＲＰ能力を有する新たなユーザは、既存のユーザから来る干渉をよりよく阻止する。やはりＤＡＲＰ能力を有する既存のユーザも同様に干渉を阻止し、その新たなユーザによる影響を受けない。一例において、ＤＡＲＰは、０ｄＢ（それらの信号に関して同一レベルの同一チャネル干渉）から−６ｄＢ（同一チャネルが、所望される、つまり、求められる信号より６ｄＢ強い）までの範囲内のＣＣＩに対してうまく機能する。このため、同一のＡＲＦＣＮ、および同一のタイムスロットを使用するが、異なるＴＳＣが割り当てられた２名のユーザは、良好なサービスを得る。
【００４７】
ＤＡＲＰフィーチャは、２つの遠隔局１２４および１２５がともにＤＡＲＰフィーチャ対応可能にされている場合、これらの遠隔局１２４および１２５がそれぞれ、２つの基地局１１０および１１４から、同様の電力レベルを有する求められる信号を受信することを許し、さらに各遠隔局１２４、１２５が、各遠隔局１２４、１２５の求められる信号を復調することを許す。このため、ＤＡＲＰ対応の遠隔局１２４、１２５はともに、データまたは音声に関して同一のチャネルを同時に使用することができる。
【００４８】
単一のチャネルを使用して、２つの基地局１１０、１１１、１１４から２つの遠隔局１２３〜１２７への２つの同時の呼をサポートするという前述したフィーチャは、従来技術において用途が多少、限られている。このフィーチャを使用するのに、２つの遠隔局１２４、１２５は、２つの基地局１１４、１１０の範囲内に存在し、さらにそれぞれが同様の電力レベルで２つの信号を受信している。この条件の場合、通常、２つの遠隔局１２４、１２５は、前述したとおり、セル境界近くに存在する。他の何らかの手段によって、基地局によって扱われ得る遠隔局に対するアクティブ接続の数を増やすことが望ましい。
【００４９】
基地局１１０、１１１、１１４によって送信される信号、および遠隔局１２３〜１２７によって送信される信号によって、単一の基地局１１０、１１１、１１４と複数の遠隔局１２３〜１２７の１つとの間の通信をそれぞれが備える、同一のチャネル（或る搬送周波数上の或るタイムスロットから成る）上の２つ以上の同時の呼をサポートすることを許す方法および装置が、次に説明される。この、同一のチャネル上で２つ以上の同時の呼をサポートすることは、マルチユーザオンワンスロット（ＭＵＲＯＳ）またはボイスサービスオーバアダプティブマルチユーザオンワンタイムスロット（ＶＡＭＯＳ）として知られている。同一の基地局１１０、１１１、１１４によって同一のセル内で、同一の搬送周波数上の同一のタイムスロット内の信号のために２つのトレーニング系列が使用されることが可能であるので、そのセル内で２倍の数の通信チャネルが使用されることが可能である。
【００５０】
添付の図面の図６は、２つの遠隔局１２５、１２７に同一のチャネルを割り当てるように適合されたＴＤＭＡセルラシステムの一部の簡略化された図を示す。このシステムは、基地局１１０と、２つの遠隔局１２５、１２７とを備える。ネットワークは、基地局１１０を介して、２つの遠隔局１２５および１２７に同一のチャネル周波数、および同一のタイムスロット（すなわち、同一のチャネル）を割り当てることができる。ネットワークは、１６０という周波数チャネル番号（ＦＣＮ）を有するチャネル周波数と、３というタイムスロットインデックスを有するタイムスロット（ＴＳ）とをともに割り当てられた２つの遠隔局１２５および１２７に、異なるトレーニング系列を割り当てる。遠隔局１２５には、５というトレーニング系列符号（ＴＳＣ）が割り当てられるのに対して、遠隔局１２７には、０というトレーニング系列符号（ＴＳＣ）が割り当てられる。各遠隔局１２５、１２７は、各遠隔局１２５、１２７自らの信号（図に実線で示される）を、他方の遠隔局１２５、１２７に向けられた同一チャネル（同一ＴＣＨ）信号（図に破線で示される）とともに受信する。各遠隔局１２５、１２７は、不要な信号を阻止しながら、各遠隔局１２５、１２７自らの信号を復調することができる。
【００５１】
したがって、ＤＡＲＰは、本明細書で使用される実施例と一緒に使用されると、ＴＤＭＡネットワークが、既に使用中のチャネル（すなわち、既に使用中のチャネル周波数およびタイムスロット）を使用して、さらなるユーザにサービスを提供することを可能にする。一例において、各チャネルは、フルレート（ＦＲ）音声の場合、２名のユーザにために使用されることが可能であり、さらにハーフレート（ＨＲ）音声の場合、４名のユーザによって使用されることが可能である。また、ユーザの受信機が十分に良好なＤＡＲＰパフォーマンスを有する場合、第３のユーザ、または第４のユーザにさえサービスを提供することも可能である。同一のチャネルを使用して、さらなるユーザにサービスを提供するために、ネットワークは、オプションとして異なる位相シフトを使用して、同一の搬送波（チャネル周波数）上で、それらのさらなるユーザのＲＦ信号を送信するとともに、現在のユーザによって使用されるのとは異なるＴＳＣを使用して、使用中である同一のタイムスロットを、それらのさらなるユーザに割り当てる。データの送信されるバーストはそれぞれ、そのＴＳＣに対応するトレーニング系列を備える。ＤＡＲＰ対応の受信機は、別の受信機に向けられた不要な信号を阻止しながら、その受信機に向けられた、求められる、つまり、所望される信号を検出することが可能である。第１のユーザ、および第２のユーザの場合と同様に、第３のユーザ、および第４のユーザを追加することが可能である。
【００５２】
単一アンテナ干渉除去（ＳＡＩＣ）が、同一チャネル干渉（ＣＣＩ）を低減するのに使用される。３Ｇパートナーシッププロジェクト（３ＧＰＰ）が、ＳＡＩＣパフォーマンスを標準化している。３ＧＰＰは、ＳＡＩＣを適用する受信機を表すのに「ダウンリンク高度受信機パフォーマンス」（ＤＡＲＰ）という用語を採用している。
【００５３】
ＤＡＲＰは、より低い再使用率を用いることによってネットワーク容量を増加させる。さらに、ＤＡＲＰは、同時に干渉を除去する。ＤＡＲＰは、遠隔局１２３〜１２７の受信機のベースバンド部分において動作する。ＤＡＲＰは、一般的な雑音とは異なる隣接チャネル干渉および同一チャネル干渉を除去する。ＤＡＲＰは、前述した（２００４年におけるＲｅｌ−６以降の）ＧＳＭ標準において、リリースとは独立のフィーチャとして利用可能であり、さらにＲｅｌ−６以降の仕様の不可欠部分である。以下は、２つのＤＡＲＰ方法の説明である。
【００５４】
第１のＤＡＲＰ方法は、合同検出／復調（ＪＤ）方法である。ＪＤは、同期モバイルネットワーク内の隣接セルにおけるＧＳＭ信号構造の知識を使用して、所望される信号に加えて、いくつかの干渉信号の１つを復調する。干渉信号を復調するＪＤの能力は、特定の隣接チャネル干渉源の除去を許す。ＧＭＳＫ信号を復調することに加えて、ＪＤは、ＥＤＧＥ信号を復調するのに使用されることも可能である。ブラインド干渉除去（ＢＩＣ）が、ＧＭＳＫ信号を復調するのにＤＡＲＰにおいて使用される別の方法である。ＢＩＣでは、受信機は、所望される信号が受信されるのと同時に受信され得るいずれの干渉する信号の構造の知識も有さない。受信機は、いずれの隣接チャネル干渉源に対しても実質的に「盲目（ｂｌｉｎｄ）」であるので、この方法は、干渉する成分全体を除去しようと試みる。ＧＭＳＫ信号は、ＢＩＣ方法によって、求められる搬送波から復調される。ＢＩＣは、ＧＭＳＫ変調された音声サービスおよびデータサービスに関して使用される場合に、最も効果的であり、さらに非同期ネットワークにおいて使用され得る。
【００５５】
また、本明細書および添付の図面で説明される実施例のＤＡＲＰ対応の遠隔局等化器／検出器４２６は、等化、検出などに先立って、ＣＣＩ除去も実行する。図２の等化器／検出器４２６は、復調されたデータをもたらす。ＣＣＩ除去は、通常、基地局１１０、１１１、１１４上で利用可能である。また、遠隔局１２３〜１２７は、ＤＡＲＰ対応であっても、ＤＡＲＰ対応でなくてもよい。ネットワークは、ＧＳＭ遠隔局（例えば、移動局）１２３〜１２７に向けられた呼の開始点であるリソース割当て段階で、遠隔局がＤＡＲＰ対応であるかどうかを判定することが可能である。
【００５６】
添付の図面の図７は、セルラ通信システム１００の基地局コントローラ（ＢＳＣ）内に存在することが可能なメモリサブシステム内のデータストレージに関する例示的な構成を示す。この図の表１００１は、遠隔局１２３〜１２７に割り当てられた周波数チャネル番号（ＦＣＮ）の値の表であり、遠隔局１２３〜１２７に番号が付けられている。この図の表１００２は、遠隔局番号１２３〜１２７がタイムスロット番号に対して示されている、タイムスロットの値の表である。タイムスロット番号３は、遠隔局１２３、１２４、および２２９に割り当てられていることを見て取ることができる。同様に、表１００３は、トレーニング系列（ＴＳＣ）を遠隔局１２３〜１２７に割り当てるデータの表を示す。
【００５７】
図の表１００５は、前述した表１００１、表１００２、および表１００３に示されるパラメータのすべてを含むように多次元であるデータの拡大された表を示す。この図に示される表１００５の部分は、使用される完全な表の小さい部分に過ぎないことが認識されよう。表１００５は、周波数割当てセットの割当てに加えて、セルの特定のセクタ内、またはセル内で使用される周波数のセットに対応する各周波数割当てセットを示す。表１００５において、周波数割当てセットｆ１は、この図の表１００５に示されるすべての遠隔局１２３〜１２７に割り当てられている。図示されない表１００５の他の部分は、他の遠隔局１２３〜１２７に割り当てられた周波数割当てセットｆ２、ｆ３などを示すことが認識されよう。データの第４の行は、全く値を示さないが、表１００１におけるデータの行３と行５の間に示されない、可能な多くの値が存在することを示す繰り返されるドットを示す。
【００５８】
添付の図面の図８は、１つの遠隔局１２３〜１２７によって既に使用中であるチャネルを別の遠隔局１２３〜１２７に割り当てる方法のフローチャートを示す。
【００５９】
方法の開始１５０１に続き、基地局１１０、１１１、１１４と遠隔局１２３〜１２７の間で新たな接続をセットアップするかどうかの判定が行われる（ブロック１５０２）。答えが「いいえ」である場合、方法は、開始ブロック１５０１に戻り、前述のステップが繰り返される。答えが「はい」である場合（ブロック１５０２）、未使用のチャネル、すなわち、任意の使用されている、または未使用のチャネル周波数に関する未使用のタイムスロット、が存在するかどうかについての判定が行われる（ブロック１５０３）。未使用のタイムスロットが存在する場合、新たなタイムスロットが割り当てられる（ブロック１５０４）。次に、方法は、開始ブロック１５０１に戻り、前述のステップが繰り返される。
【００６０】
最終的に、未使用のタイムスロットはもはや存在せず（すべてのタイムスロットが、既に使用されている、または接続に割り当てられているため）、したがって、ブロック１５０３の質問に対する答えは、「いいえ」であり、方法は、ブロック１５０５に進む。ブロック１５０５で、使用されているタイムスロットが、既存の接続と共有されるように新たな接続のために選択される。
【００６１】
既存の接続と一緒に共有されるように新たな接続のために選択されている第１の使用されているタイムスロット（チャネル）。既存の接続は、第１のトレーニング系列を使用する。次に、ブロック１５０６で、第１のトレーニング系列とは異なる第２のトレーニング系列が、その新たな接続のために選択される。次に、方法は、開始ブロック１５０１に戻り、前述したステップが繰り返される。
【００６２】
添付の図面の図９は、図８によって表される方法が基地局コントローラ６００に存在する装置の概略図である。基地局コントローラ６００内に、コントローラプロセッサ６６０と、メモリサブシステム６５０とが存在する。この方法のステップは、ソフトウェア６８０の中、メモリ６８５の中、メモリサブシステム６５０の中、もしくはコントローラプロセッサ６６０内に存在するメモリの中のソフトウェア内、または基地局コントローラ６００内のソフトウェア内、もしくはメモリの中、または他の何らかのデジタルシグナルプロセッサ（ＤＳＰ）内、あるいは他の形態のハードウェアの中に格納されることが可能である。基地局コントローラ６００は、移動交換局６１０に接続され、さらに基地局６２０、６３０、および６４０にも接続される。
【００６３】
メモリサブシステム６５０内に示されるのが、データの３つの表６５１、６５２、６５３の部分である。データの各表は、ＭＳというラベルが付けられた列で示される遠隔局１２３、１２４のセットに関するパラメータの値を格納する。表６５１は、トレーニング系列符号の値を格納する。表６５２は、タイムスロット番号ＴＳについての値を格納する。表６５３は、チャネル周波数ＣＨＦの値を格納する。データの表は、この図に示される表の代替として、多次元の単一の表として、または異なる次元のいくつかの表として構成されることも可能であることを認識することができよう。
【００６４】
コントローラプロセッサ６６０は、メモリサブシステム６５０にパラメータに関する値を送るため／メモリサブシステム６５０からパラメータに関する値を受け取るために、データバス６７０を介してメモリサブシステム６５０と通信する。コントローラプロセッサ６６０内には、アクセス許可コマンドを生成する機能６６１、アクセス許可コマンドを基地局６２０、６３０、６４０に送る機能６６２、トラヒック割当てメッセージを生成する機能６６３、およびトラヒック割当てメッセージを基地局６２０、６３０、または６４０に送る機能６６４を含む機能が含まれる。これらの機能は、メモリ６８５の中に格納されたソフトウェア６８０を使用して実行されることが可能である。
【００６５】
コントローラプロセッサ６６０内、または基地局コントローラ６００内の別の場所に、基地局６２０、６３０、または６４０によって送信される信号の電力レベルを制御する電力制御機能６６５が存在することも可能である。
【００６６】
基地局コントローラ６００内に存在するものとして示される機能、すなわち、メモリサブシステム６５０およびコントローラプロセッサ６６０は、移動交換局６１０内に存在することも可能であることを認識することができよう。基地局コントローラ６００の一部として説明される機能のいくつか、またはすべてが、同様に、基地局６２０、６３０、または６４０の１つまたは複数の中に存在することも可能である。
【００６７】
位相シフト
基地局１１０、１１１、１１４によって送信される２つの信号に関する変調の絶対位相は、同一ではない可能性がある。同一のチャネル（同一ＴＣＨ）を使用するさらなるユーザにサービスを提供するために、複数のＴＳＣを提供することに加えて、ネットワークは、既に接続されている同一チャネルの遠隔局に関する信号に対して、新たな同一チャネル（同一ＴＣＨ）の遠隔局に関する信号のデータシンボルを位相シフトさせることが可能である。可能な場合、ネットワークは、均等に間隔をあけた位相シフトをもたらして、これにより、受信機パフォーマンスを向上させることが可能である。２名のユーザが或るチャネルを共有する一例の場合、１名のユーザの別のユーザに対する位相差は、９０度離れていることが可能である。３名のユーザが或るチャネルを共有する別の例の場合、１名のユーザの別のユーザに対する位相差は、６０度離れていることが可能である。４名のユーザに関する位相シフトは、４５度離れていることが可能である。前述したとおり、ユーザはそれぞれ、異なるＴＳＣを使用する。
【００６８】
このため、向上したＤＡＲＰパフォーマンスのために、異なる２つの遠隔局１２３、１２４に向けられた２つの信号は、理想的には、最良のチャネルインパルス応答のためにπ／２だけ位相シフトさせられるが、π／２より小さい位相シフトもやはり、十分なパフォーマンスをもたらす。
【００６９】
２つの信号の位相が互いに９０度だけずらされているように２つの信号をもたらすのに、第１の送信機１１２０は、互いに９０度の位相シフトで２つの信号を変調して、これにより、位相ダイバーシティによって、これらの信号の間の干渉をさらに低減する。
【００７０】
このようにして、送信装置１２００は、同一の周波数上の同一のタイムスロットを使用して、異なる遠隔局１２３、１２４に向けられた同時の信号の間に位相差を生じさせるための、基地局６２０における手段９２０を提供する。そのような手段は、他の仕方で提供されることも可能である。例えば、送信装置１２００において別々の信号が生成されることが可能であり、さらにもたらされるアナログ信号が、それらの信号のうち１つが位相シフト要素を通るようにして、その後、位相シフトさせられた信号と位相シフトさせられていない信号を単に足すことによって、送信機フロントエンドにおいて組み合わされることが可能である。
【００７１】
電力制御態様
以下の表２は、図４に示される、２つの基地局１１０および１１４によって送信され、遠隔局１２３から１２７によって受信される信号に関するチャネル周波数、タイムスロット、トレーニング系列、および受信信号電力レベルの例示的な値を示す。
【表２】
2014161073.tif 000004
【００７２】
太字の長方形によって外枠が描かれた、この表の行３および行４は、遠隔局１２３と遠隔局１２４がともに、基地局１１４からの信号を受信するために、インデックス３２を有するチャネル周波数、およびタイムスロット３を使用しているが、遠隔局１２３、１２４には、それぞれ、異なるトレーニング系列ＴＳＣ２およびＴＳＣ３が割り当てられていることを示す。同様に、行９および行１０も、同一のチャネル周波数、および同一のタイムスロットが、２つの遠隔局１２５、１２７が同一の基地局１１０からの信号を受信するのに使用されていることを示す。各事例において、求められる信号の受信電力レベルは、２つの遠隔局１２５、１２７に関して実質的に異なる（それぞれ、−１０１ｄＢｍおよび−５７ｄＢｍ）ことを見て取ることができる。
【００７３】
表３のハイライトされた行３および行４は、基地局１１４が、遠隔局１２３に向けられた信号を送信し、さらに遠隔局１２４に向けられた信号も送信することを示す。求められる信号の受信電力レベルは、この２つの基地局１２３、１２４に関して実質的に異なる。遠隔局１２３における受信電力レベルが−６７ｄＢｍであるのに対して、遠隔局１２４における受信電力レベルは−１０２ｄＢｍである。表３の行９および行１０は、基地局１１０が、遠隔局１２５に向けられた信号を送信し、さらに遠隔局１２７に向けられた信号も送信することを示す。遠隔局１２５における受信電力レベルが−１０１ｄＢｍであるのに対して、遠隔局１２７における受信電力レベルは−５７ｄＢｍである。各事例における電力レベルの大きい差は、基地局１１０からの遠隔局１２５、１２７の異なる距離による可能性がある。代替として、電力レベルの差は、一方の遠隔局１２３〜１２７に関する、他方の遠隔局１２３〜１２７と比較した、信号を送信している基地局１０、１１１、１１４と、信号を受信している遠隔局１２３〜１２７の間の異なるパスロス、または信号のマルチパス除去の異なる量によることが可能である。
【００７４】
一方の遠隔局１２３〜１２７に関する、他方の遠隔局１２３〜１２７と比較した受信電力レベルのこの差は、意図的ではなく、セル計画のために理想的ではないものの、本明細書、および添付の図面において説明される実施例の動作を損なうものではない。
【００７５】
ＤＡＲＰ能力を有する遠隔局１２３〜１２７は、同一チャネルの、同時に受信される２つの信号のいずれか１つを、その２つの信号の振幅または電力レベルが、遠隔局１２３〜１２７のアンテナにおいて同様である限り、うまく復調することが可能である。このことは、それらの信号がともに同一の基地局１１０、１１１、１１４によって送信され、さらにその２つの信号の送信電力レベルが実質的に同一である場合、実現可能である。第１の遠隔局、および第２の遠隔局１２３〜１２７のそれぞれは、基地局と第１の遠隔局の間の２つの信号に関するパスロスが同様であり、さらに基地局と第２の遠隔局の間の２つの信号に関するパスロスが同様であるため、実質的に同一の電力レベルで（例えば、互いに６ｄＢの範囲内で）２つの信号を受信する。それらの送信電力は、基地局１１０、１１１、１１４が、同様の電力レベルで２つの信号を送信するように構成される場合、または基地局１１０、１１１、１１４が、両方の信号を或る決められた電力レベルで送信する場合、同様である。この状況が、表２をさらに参照するとともに、表３を参照して例示され得る。
【００７６】
表２は、遠隔局１２３、１２４が基地局１１４から実質的に異なる電力レベルを有する信号を受信することを示すが、より詳しく見ると、表２の行３および行５によって示されるとおり、遠隔局１２３が、基地局１１４から同一の電力レベル（−６７ｄＢｍ）で２つの信号を受信し、一方の信号は、遠隔局１２３に向けられた求められる信号であり、他方の信号は、遠隔局１２４に向けられた不要な信号であることを見て取ることができる。このため、遠隔局１２３〜１２７が同様の電力レベルを有する信号を受信する基準が、この例において満たされていることが示される。移動局１２３がＤＡＲＰ受信機を有する場合、移動局１２３は、したがって、この例において、求められる信号を復調し、不要な信号を阻止することができる。
【００７７】
同様に、表２（前掲の）の行４および行６を調べることによって、遠隔局１２４が、同一のチャネルを共有し、さらに同一の電力レベル（−１０２ｄＢｍ）を有する２つの信号を受信することを見て取ることができる。両方の信号とも、基地局１１４からである。その２つの信号の一方の信号は、遠隔局１２４に向けられた求められる信号であり、他方の信号は、遠隔局１２３によって使用されるように向けられた不要な信号である。
【００７８】
前述の概念をさらに例示するように、表３は、表２の行が単に並べ替えられた、表２の変更されたバージョンである。遠隔局１２３および１２４はそれぞれ、１つの基地局１１４から、同一のチャネルを共有し、さらに同様の電力レベルを有する２つの信号、求められる信号および不要な信号を受信することを見て取ることができる。また、遠隔局１２５が、異なる２つの基地局、１１０、１１４から、同一のチャネルを共有し、さらに同様の電力レベルを有する２つの信号、求められる信号および不要な信号をやはり受信する。
【表３】
2014161073.tif 000005
【００７９】
基地局１１０、１１１、１１４が、同一のチャネルを使用して２つの遠隔局１２３〜１２７との呼を維持して、第１の遠隔局１２３〜１２７が、ＤＡＲＰ対応の受信機を有するようにし、第２の遠隔局１２３〜１２７が、ＤＡＲＰ対応の受信機を有さないようにすることが可能である。２つの遠隔局１２４〜１２７によって受信される信号の振幅は、値の或る範囲内（一例では、この範囲は、８ｄＢから１０ｄＢまでの間であることが可能である）にある或る量だけ異なるように構成され、さらにＤＡＲＰ対応の遠隔局に向けられた信号の振幅は、ＤＡＲＰ対応でない遠隔局１２４〜１２７に向けられた信号の振幅より低いようにも構成される。
【００８０】
ＭＵＲＯＳ対応のネットワークの利点は、基地局１１０、１１１、１１４が、両方の信号が所望される信号として扱われ得るように、タイムスロット当り、１つだけではなく、２つ以上のトレーニング系列を使用することが可能なことである。基地局１１０、１１１、１１４は、適切な振幅で信号を送信して、各遠隔局が、各遠隔局自らの信号を十分に高い振幅で受信するようにすることであり、さらに２つの信号は、２つのトレーニング系列に対応する２つの信号が検出され得るように或る振幅比を保つ。このフィーチャは、基地局１１０、１１１、１１４内、またはＢＳＣ６００内のメモリの中に格納されたソフトウェアを使用して実施されることが可能である。例えば、遠隔局１２３〜１２７が、遠隔局１２３〜１２７のパスロスが同様であることに基づいて、さらに既存のトラヒックチャネルの利用可能性に基づいて、ペアにされるように選択される。しかし、ＭＵＲＯＳは、一方の遠隔局に関して、他方の遠隔局１２３〜１２７と比べて、パスロスが非常に異なる場合でも、機能することが可能である。このことは、一方の遠隔局１２３〜１２７が、他方の遠隔局と比べて、基地局１１０、１１１、１１４からはるかに遠く離れている場合に生じる可能性がある。
【００８１】
電力制御に関して、ペアリングの可能な様々な組合せが存在する。両方の遠隔局１２３〜１２７がＤＡＲＰ対応であること、または１つだけがＤＡＲＰ対応であることが可能である。両方の事例において、移動局１２３〜１２７における受信される振幅または電力レベルは、互いの１０ｄＢの範囲内にあることが可能である。しかし、一方の遠隔局１２３〜１２７だけしかＤＡＲＰ対応でない場合、さらなる制約は、ＤＡＲＰ対応でない遠隔局１２３〜１２７が、第２の信号より高い、その遠隔局１２３〜１２７の求められる（つまり、所望される）第１の信号を有することである（一例では、第２の信号より少なくとも８ｄＢ高い）。ＤＡＲＰ対応の遠隔局１２３〜１２７は、第１の信号より下の低いしきい値で、第２の信号を受信する（一例では、第２の信号は、第１の信号より１０ｄＢだけ低い）。このため、一例において、振幅比は、ＤＡＲＰ／ＤＡＲＰ対応の遠隔局１２３〜１２７に関して０ｄＢから±１０ｄＢまでであることが可能であり、あるいは非ＤＡＲＰ遠隔局１２３〜１２７に有利な非ＤＡＲＰ／ＤＡＲＰペアリングに対して８ｄＢから１０ｄＢ高い信号であることが可能である。また、基地局１１０、１１１、１１４が、各遠隔局１２３〜１２７が、その遠隔局１２３〜１２７の感度限度を超える電力レベルでその遠隔局１２３〜１２７の求められる信号を受信するように、２つの信号を送信することが好ましい。（一例において、電力レベルは、遠隔局１２３〜１２７の感度限度を少なくとも６ｄＢ超える）したがって、一つの遠隔局１２３〜１２７が、より大きいパスロスを有する場合、基地局１１０、１１１、１１４は、以上のことを実現するのに適切な電力レベルまたは振幅でその遠隔局１２３〜１２７の信号を送信する。これは、送信電力レベルを設定する。すると、２つの信号のレベルの間の要求される差が、その他方の信号の絶対電力レベルを決定する。
【００８２】
添付の図面の図１０は、強化された同一チャネル阻止能力を有する遠隔局１２３〜１２７のための受信機アーキテクチャを示す。この受信機は、単一アンテナ干渉除去（ＳＡＩＣ（single antenna interference cancellation））等化器１１０５または最尤系列推定（ＭＬＳＥ（maximum likelihood sequence estimator））等化器１１０６を使用するように適合される。ＳＡＩＣ等化器が、同様の振幅を有する２つの信号が受信される場合に使用されるように選好される。ＭＬＳＥ等化器は、受信される信号の振幅が同様でない場合に、例えば、求められる信号が、不要な同一チャネルの信号の振幅よりはるかに大きい振幅を有する場合に、通常、使用される。
【００８３】
同一チャネル動作のための受信装置を選択すること
前述したとおり、ＭＵＲＯＳは、同一のトラヒックチャネル（ＴＣＨ）上に複数のユーザを許し、このことが、増加された容量をもたらす。このことは、遠隔局１２３〜１２７のＤＡＲＰ能力を利用することによって実現され得る。ＤＡＲＰ遠隔局１２３〜１２７は、ＤＡＲＰ遠隔局が、前述したとおり、その遠隔局自らの求められる信号の電力レベルよりも高い電力レベルにおける不要な同一チャネルの信号を許容することができるため、別のＤＡＲＰ遠隔局１２３〜１２７とペアにされると、より多くのペアリングの機会を提供する。しかし、やはり前述したとおり、同一チャネル（すなわち、ＭＵＲＯＳ）動作のために非ＤＡＲＰ遠隔局１２３〜１２７をＤＡＲＰ遠隔局１２３〜１２７とペアにすることが、それでも可能である。したがって、遠隔局１２３〜１２７がＤＡＲＰ能力を有するか否かが知られていない場合に、ＭＵＲＯＳ動作のために遠隔局１２３〜１２７を選択することができることが有利である。また、遠隔局がＭＵＲＯＳ能力を有することを示すメッセージが送信される必要なしに、ＭＵＲＯＳ動作のために遠隔局１２３〜１２７を選択することができることも有利である。このことは、遠隔局１２３〜１２７が、その遠隔局１２３〜１２７がＤＡＲＰ能力を有することを示さない、いわゆるレガシー遠隔局である場合、システムが、そのようなメッセージを生成することができないためである。ＤＡＲＰ遠隔局または非ＤＡＲＰ遠隔局１２３〜１２７を選択するための装置および方法は、後段で説明される。
【００８４】
送信機が、２つの受信機のそれぞれに１つずつ、２つの同一チャネルの信号を送信する場合、各受信機の同一チャネル阻止能力についての知識が、第１に、両方の受信機が２つの同一チャネルの信号を扱うことができるかどうかを判定し、第２に、送信される信号の電力レベルを正しい比に設定して、各受信機がその２つの信号を扱うことができることを確実にするために、使用される。例えば、一方の受信機が、非ＤＡＲＰであることが可能であり、あるいは他方の受信機と比べて、送信機からさらに遠く離れていることが可能であり、さらにこれら両方の要因が、前述したとおり、送信される信号の最も適切な電力レベルを決定する。
【００８５】
基地局１１０、１１１、１１４が、遠隔局１２３〜１２７にクラスマークを要求することによって、遠隔局１２３〜１２７のＤＡＲＰ能力を識別することが可能である。クラスマークは、遠隔局１２３〜１２７の能力についての遠隔局１２３〜１２７から基地局１１０、１１１、１１４への宣言である。このことは、例えば、ＧＥＲＡＮ標準におけるＴＳ１０．５．１．５〜７の２４．００８において説明される。現在、これらの標準は、遠隔局１２３〜１２７のＤＡＲＰ能力を示すクラスマークを定義するが、これまで、ＭＵＲＯＳクラスマーク、または新たなトレーニング系列のサポートを示すクラスマークは、全く定義されていない。
【００８６】
さらに、これらの標準におけるＤＡＲＰクラスマークの定義にもかかわらず、これらの標準は、遠隔局１２３〜１２７が基地局１１０、１１１、１１４にクラスマークを送ることは要求しない。実際、多くの製造業者は、製造業者の遠隔局１２３〜１２７が基地局１１０、１１１、１１４によって、より雑音の多いチャネルに自動的に割り当てられ、その結果、遠隔局１２３〜１２７からの通信を劣化させる可能性があることを恐れて、呼セットアップ手順で基地局１１０、１１１、１１４にＤＡＲＰクラスマークを送信するように製造業者のＤＡＲＰ対応の遠隔局１２３〜１２７を設計しない。クラスマークを使用することなしに、レガシー遠隔局１２３〜１２７がＭＵＲＯＳ対応であるか否かを識別することが望ましい。遠隔局のＤＡＲＰ能力が通知されていることの事前の知識を有することなしに、遠隔局１２３〜１２７が、ＭＵＲＯＳ対応であるかどうか、またはＤＡＲＰ対応であるかどうかさえ、確実に識別することは、現在、可能ではない。
【００８７】
基地局１１０、１１１、１１４は、遠隔局１２３〜１２７の国際モバイル機器識別子（ＩＭＥＩ（International Mobile Equipment Identity））に基づいて、遠隔局１２３〜１２７におけるＭＵＲＯＳ能力を識別することが可能である。基地局１１０、１１１、１１４は、遠隔局１２３〜１２７のＩＭＥＩを、遠隔局１２３〜１２７からＩＭＥＩを直接に要求することによって、確立することが可能である。ＩＭＥＩは、遠隔局１２３〜１２７に一意であり、ネットワーク内の任意の場所に配置されたデータベースを参照するのに使用されることが可能であり、これにより、遠隔局１２３〜１２７が属するモバイル電話機のモデルが識別されるとともに、ＤＡＲＰやＭＵＲＯＳなどの遠隔局１２３〜１２７の能力がさらに識別される。電話機が、ＤＡＲＰ対応またはＭＵＲＯＳ対応である場合、その電話機は基地局１１０、１１１、１１４によって、別の適切な遠隔局１２３〜１２７とチャネルを共有するための候補と考えられる。動作の際、基地局１１０、１１１、１１４は、ＤＲＡＰ対応またはＭＵＲＯＳ対応である、その基地局１１０、１１１、１１４に現在接続された遠隔局１２３〜１２７のリストを構築する。
【００８８】
しかし、ＤＡＲＰ能力またはＭＵＲＯＳ能力単独では、特定の遠隔局１２３〜１２７が、別の遠隔局１２３〜１２７と同一の周波数上のＴＤＭＡスロットを共有することができるかどうかを判定するための十分な基準ではない可能性がある。
【００８９】
遠隔局１２３〜１２７の干渉阻止能力を判定する１つの方法は、ディスカバリバーストを送ることである。これは、遠隔局１２３〜１２７に向けられた信号が、その信号の上に知られている干渉パターンを重ね合わせられている、短い無線バーストである。ディスカバリバーストは、第１の事前定義されたデータ系列（例えば、第１のトレーニング系列）を備える遠隔局のための第１のトラヒックデータ（例えば、基本音声）を含む信号と、第２の事前定義されたデータ系列（例えば、第２のトレーニング系列）を備える第２のデータを備える第２の（同一チャネル）信号とを備え、両方の信号は、事前定義された電力レベルにある。
【００９０】
添付の図面の図１１は、同一チャネル動作のために受信装置を一緒に選択すること適した（ａ）送信装置１２００と（ｂ）受信装置１２４０の概略図である。送信装置１２００は、単一のチャネル上で所定の電力レベルでデータの２つのセットを送信するように構成される。受信装置１２４０は、送信されたデータを受信し、受信されたデータの特性を測定し、さらに特性を示す信号を送信するように構成される。送信装置１２００と受信装置１２４０は、同一チャネル動作のために受信装置１２４０を一緒に選択することに適している。次に、送信装置１２００および受信装置の特徴を、より詳細に説明する。
【００９１】
送信装置１２００は、第１の送信機１２２０と、プロセッサ１２１５およびメモリ１２１６を備える選択器と、送信されたデータの測定された特性を示す第１の信号を受信するように構成された、選択器１２３０に結合された第１の受信機１２１７と、受信装置の同一チャネル阻止能力を示す第２の信号を受信するように構成された、選択器１２３０に結合された第３の受信機１２１８とを備える。
【００９２】
第１のデータソース１２０１が、第１のデータを出力するように構成される。第１のデータソース１２０１に結合された第１のマルチプレクサ１２０３が、第１のデータを受信し、さらに第１のデータに第１のタイムスロットを割り当てることによって第１のデータを時分割多重化するように構成され、さらに多重化された第１のデータを出力するように構成される。
【００９３】
第１のマルチプレクサ１２０３に結合された第１の電力調整器１２０５が、多重化された第１のデータの電力レベルを調整して、第１の電力調整されたデータをもたらすように構成される。第１の電力調整器１２０５に結合された第１の変調器１２０７が、第１の電力調整されたデータを第１のチャネル周波数上に変調して、第１の変調されたデータ１２０９をもたらすように構成される。第１の変調器１２０７に結合された第１の増幅器１２１１が、第１の変調されたデータ１２０９を送信して、送信される第１のデータ１２１３をもたらすように構成される。
【００９４】
第２のデータソース１２０２が、第２のデータを出力するように構成される。第２のデータソース１２０２に結合された第２のマルチプレクサ１２０４が、第２のデータを受信し、さらに第２のデータに第２のタイムスロットを割り当てることによって第２のデータを時分割多重化するように構成され、さらに多重化された第２のデータを出力するように構成される。
【００９５】
第２のマルチプレクサ１２０４に結合された第２の電力調整器１２０６が、多重化された第２のデータの電力レベルを調整して、第２の電力調整されたデータをもたらすように構成される。第２の電力調整器１２０６に結合された第２の変調器１２０８が、第２の電力調整されたデータを第２のチャネル周波数上に変調して、第２の変調されたデータ１２１０をもたらすように構成される。第２の変調器１２０８に結合された第２の増幅器１２１２が、第２の変調されたデータ１２１０を送信して、送信される第２のデータ１２１４をもたらすように構成される。第１の増幅器１２１１、および第２の増幅器１２１２に結合されたコンバイナ１２１９が、送信される第１のデータ１２１３と送信される第２のデータ１２１４を組み合わせて、組み合わされた、送信される第１のデータと送信される第２のデータをもたらすように動作可能である。オプションとして、送信される第１のデータ１２１３、および送信される第２のデータ１２１４はそれぞれ、組み合わされることなしに送信される。
【００９６】
受信装置１２４０は、送信される第１のデータ、および／または送信される第２のデータを受信し、さらに受信されたデータを出力するように動作可能な第２の受信機１２４１を備える。第２の受信機１２４１に結合された復調器１２４２が、受信されたデータを復調して、復調されたデータをもたらすように動作可能である。復調器１２４２に結合されたディマルチプレクサ１２４３が、復調されたデータを時分割逆多重化して、逆多重化されたデータをもたらすように動作可能である。ディマルチプレクサ１２４３に結合されたデータ品質推定器１２４４が、データの特性を測定し、さらに測定された特性の通知を出力するように動作可能である。例えば、データ品質推定器１２４４は、ビット誤り率（ＢＥＲ）、またはデータのビット誤り確率（ＢＥＰ）を測定することが可能である。品質推定器１２４４に結合された第２の送信機１２４５が、測定された特性の通知を備える第１の信号を送信するように動作可能である。
【００９７】
また、受信装置１２４０は、ディマルチプレクサ１２４３、データ品質推定器１２４４、および第２の送信機１２４５と通信し、さらにディマルチプレクサ１２４３、データ品質推定器１２４４、および第２の送信機１２４５の動作を制御するように構成された第２のプロセッサ１２４７も備える。第２のプロセッサ１２４７は、第２の受信機１２４１、および復調器１２４２の動作を制御するように構成されることが可能である。第２のプロセッサ１２４７に結合された第２のメモリ１２４８が、前述した要素の動作を制御する際にプロセッサ１２４７が使用する命令を含むデータを格納し、さらに第２のプロセッサ１２４７に転送するように構成される。
【００９８】
また、受信装置１２４０は、第２のプロセッサ１２４７に結合され、受信装置１２４０の同一チャネル阻止能力の通知を備える第２の信号を送信するように動作可能な第３の送信機１２４６も備える。
【００９９】
送信装置１２００は、選択器１２３０にそれぞれ結合された、第１の受信機１２１７と、第３の受信機１２１８とをさらに備える。第１の受信機１２１７は、受信装置１２４０の第２の送信機１２４５によって送信された第１の信号を受信し、さらに測定された特性の通知を選択器１２３０に出力するように動作可能である。第３の受信機１２１８は、受信装置１２４０の第３の送信機１２４６によって送信された第２の信号を受信し、さらに同一チャネル阻止能力の通知を選択器１２３０に出力するように動作可能である。
【０１００】
選択器１２３０は、測定された特性に応じて、同一チャネル動作のための受信装置１２４０を選択し、さらに／または受信装置１２４０の同一チャネル阻止能力に応じて、同一チャネル動作のための受信装置１２４０を選択するように構成される。
【０１０１】
ビット誤り確率（ＢＥＰ）が、遠隔局１２３〜１２７において測定される。（後段で説明されるとおり、干渉を阻止する遠隔局１２３〜１２７の能力を示す他のパラメータが使用されることも可能である。）ＢＥＰ値は、遠隔局１２３〜１２７の定期レポートの中で基地局１１０、１１１、１１４に送り返される。例えば、ＧＥＲＡＮ標準において、ＢＥＰは、０〜３１の値によって表され、０は、２５％というビット誤りの確率に相当し、３１は、０．０２５％という確率に相当する。つまり、ＢＥＰが高いほど、干渉を阻止する遠隔局１２３〜１２７の能力は大きい。ＢＥＰは、「強化された測定レポート」または「拡張されたレポート」の一部として報告される。Ｒ９９以降の電話機が、ＢＥＰを報告する能力を有することが可能である。
【０１０２】
バーストが送られると、遠隔局１２３〜１２７のＢＥＰが、所与のしきい値を下回って低下した場合、その遠隔局１２３〜１２７は、ＭＵＲＯＳ動作に適していないとみなすことができる。シミュレーションにおいて、少なくとも２５というＢＥＰが、しきい値の有利な選択であることが示されている。ＢＥＰは、チャネルを介してバーストを送ること、および遠隔局１２３〜１２７において、そのバーストの中で生じる誤りの数を測定することによって導き出されることに留意されたい。
【０１０３】
しかし、ＢＥＰ独自では、特に、バーストにわたって誤り頻度の劇的な変化が存在する場合、遠隔局１２３〜１２７およびチャネルの品質の十分に正確な測定ではない可能性がある。したがって、ＭＵＲＯＳ動作判定を、ＢＥＰの共分散（ＣＶＢＥＰ）を考慮に入れて、平均ＢＥＰに基づかせることが好ましい可能性がある。これら２つの量は、遠隔局１２３〜１２７が基地局１１０、１１１、１１４に送るレポートの中に存在するものとして標準によって義務付けられる。
【０１０４】
代替として、遠隔局が同一チャネル動作に適しているかどうかの判定は、１つのＳＡＣＣＨ期間（０．４８ミリ秒）の間に、遠隔局１２３〜１２７によって基地局１１０、１１１、１１４に戻されるＲｘＱｕａｌパラメータに基づくことも可能である。ＲｘＱｕａｌは、０から７までの値であり、各値は、多数のバーストの中のビット誤りの推定された数、すなわち、ビット誤り率（ＢＥＲ、３ＧＰＰ  ＴＳ０５．０８を参照されたい）に対応する。ビット誤り率が高いほど、ＲｘＱｕａｌは高い。シミュレーションが、２以下のＲｘＱｕａｌが、ＭＵＲＯＳ動作のためのしきい値の有利な選択であることを示している。
【０１０５】
代替として、パラメータＲｘＬｅｖが、選択基準として使用されることが可能である。ＲｘＬｅｖは、受信される平均信号強度をｄＢｍ単位で示す。ＲｘＬｅｖもやはり、ディスカバリバーストの後に遠隔局１２３〜１２７によって報告される。少なくとも１００ｄＢｍというＲｘＬｅｖが、有利であることが示されている。ＭＵＲＯＳペアリングに関する特定の基準が説明されてきたが、以上に特定された基準の代わりに、またはそのような基準と組合せで他の多くの基準が使用されることも可能であることが、当業者には明白であろう。
【０１０６】
添付の図面の図１２Ａは、同一チャネルのデータを備えるディスカバリバーストをそれぞれが含む、または含まない、データフレームの系列を示す概略図である。連続する２９のデータフレームの３つのセットが、フレームのいくつかの中にディスカバリバーストを含む。時間は、この図面で水平軸として表される。各フレームは、フレーム期間中に送信される。それぞれのそのようなフレーム期間は、図面で小さい垂直線によって隣接するフレーム期間から分離されている。各フレームは、図示されるとおり、０から２５までのフレームインデックスを有する。
【０１０７】
フレームの第１のセット１４０１は、連続する２９のフレームを備える。インデックス０を有する第１のフレーム（図面で０というラベルが付けられた陰影付きのボックスとして示されるフレーム）のフレーム期間に相当する第１の時間間隔１４１０中、ディスカバリバーストが、送信装置１２００によって第１のチャネル上で送信される。第１のチャネルは、第１のフレームのタイムスロット３を備える。通常のトラヒックバーストは、第１のフレームの８つのタイムスロットの残り７つすべてのタイムスロット中に、すなわち、第１のチャネルとは異なるチャネル上で送信される。送信装置は、送信装置が受信している信号に基づいて、ディスカバリバーストを送信することが可能であり、この信号は、受信されたデータの測定された特性を示す。
【０１０８】
例えば、送信装置によって第１のチャネル上で送信された受信データを有する受信装置が、受信データの測定された特性（例えば、ＢＥＰ）が或る規定された値を有することを示す信号を送る。測定された特性は、或る規定された値を有することがある。すなわち、測定された特性は、値の或る規定された範囲内にあることがあり、または何らかの値を超えていることがある。測定された特性が、その規定された値を有する場合、ディスカバリバーストが送信される。
【０１０９】
受信データは、通常のバーストの中で送信されたデータ、またはディスカバリバーストの中で送信されたデータである。
【０１１０】
１から２５までを含むインデックスを有する次の連続する２５のフレームに相当する第２の時間間隔１４１１中、通常のトラヒックバーストが、各フレームの８つすべてのタイムスロットの中で送信され、それぞれのそのようなフレームは、ディスカバリバーストを全く有さない。０というインデックスが付けられた次に続くフレームから始めて、フレーム０から２５までについて前述したプロセスが繰り返される。
【０１１１】
フレームが送信されるたびに、受信装置１２４０は、データのフレームを受信し、次に、データの特性（例えば、ＢＥＰ）を測定する。受信装置１２４０は、測定された特性を示す第１の信号１２６０を送信する。
【０１１２】
送信装置１２００は、測定された特性に応じて、同一チャネル動作のための受信装置１２４０を選択する、または選択しない。
【０１１３】
送信装置１２００は、単一のフレーム（例えば、０というインデックスが付けられたフレーム）の測定された特性に応じて、またはいくつかのフレームの測定された特性に応じて、受信装置１２４０を選択すること、または選択しないことが可能である。特性が測定されるフレームには、ディスカバリバーストを含むフレームが含まれること、または含まれないことが可能である。
【０１１４】
送信装置１２００が受信装置を選択しない場合、送信装置１２００は、或る規定された期間の間、通常のトラヒックバーストだけを送信し、ディスカバリバーストは送信しない。
【０１１５】
他方、送信装置１２００が受信装置１２４０を選択する場合、送信装置１２００は、或る規定された期間の間、１つまたは複数のディスカバリバーストをやはり送信する。送信装置１２００は、後段で説明されるとおり、前述したよりも多くの割合がディスカバリバーストを含むフレームを送信する。
【０１１６】
フレームの第２のセット１４０２において、フレームの第１のセットに関して前述したプロセスが実行されるが、ディスカバリバーストが、０というインデックスが付けられたフレームと、１というインデックスが付けられたフレームの両方の中で送信されることが異なる。このため、送信装置１２００は、フレームのセット１４０１に関して前述した場合と比べて、より多くの割合がディスカバリバーストを含むフレームを送信する。
【０１１７】
フレームの第３のセット１４０３において、フレームの第１のセット１４０１に関して前述したプロセスが実行されるが、ディスカバリバーストが、０、１、および２というインデックスが付けられたフレームの中で送信されることが異なる。このため、送信装置１２００は、フレームのセット１４０１または１４０２に関して前述した場合と比べて、より多くの割合がディスカバリバーストを含むフレームを送信する。
【０１１８】
送信装置１２００は、すべてのフレームがディスカバリバーストを（したがって、同一チャネルのデータ）を含むまで、または測定された特性が予め定義された範囲を外れて低下したことを示す信号を、受信装置１２４０が送信するまで、送信されるフレームの総数に対して、装置１２００が送信するディスカバリバーストフレームを含むフレームの割合を増加させつづけることが可能である。例えば、ＢＥＰが、予め定義された値未満であることが可能である。
【０１１９】
前述したとおり、ディスカバリバーストを含む複数のフレームがグループで連続して送信される。代替として、これらの複数のフレームは、不連続に送信されてもよい。例えば、ディスカバリバーストが、０というインデックスが付けられたフレームと、４というインデックスが付けられたフレームの中で送信されるか、あるいはいくつかのディスカバリバーストが、通常のバーストのセットの間に挿入される。
【０１２０】
添付の図面の図１２Ｂは、同一チャネルのデータを備えるディスカバリバーストをそれぞれが含む、または含まないデータフレームの系列を示すさらなる概略図である。そのような系列は、ＧＥＲＡＮシステムにおいて使用するのに適している。
【０１２１】
フレームの各系列１４０４から１４０８は、ＳＡＣＣＨ期間中に送信装置によって送信されるＳＡＣＣＨデータのフレームの系列である。フレームの系列１４０４は、ＳＡＣＣＨ１期間（ＳＡＣＣＨ１というラベルが付けられた）中に送信され、フレームの系列１４０５は、ＳＡＣＣＨ２期間（ＳＡＣＣＨ２というラベルが付けられた）中に送信されるといった具合である。
【０１２２】
各ＳＡＣＣＨ期間を参照すると、図の最も左側の第１のフレームにＳというラベルが付けられ、このフレームは、ＳＡＣＣＨシグナリングフレームである。次のフレームは、フレームインデックス４８を有し、ディスカバリバーストを含む。このため、インデックス４８を有するフレームは、ディスカバリバーストが送信される第１の時間間隔を備える。第１の時間間隔は、ディスカバリバーストを含むフレームの期間とみなされるか、あるいはディスカバリバースト自体の持続の時間、すなわち、タイムスロットとみなされる。簡明のため、第１の時間間隔は、以降、ディスカバリバーストを含むフレームの期間とみなす。
【０１２３】
ＳＡＣＣＨ１期間のフレーム４９、およびＳＡＣＣＨ１期間中の残りのフレームは、ディスカバリバーストを全く含まない。
【０１２４】
ＳＡＣＣＨ２期間１４０５の間、送信装置１２００は、ディスカバリバーストを全く備えていないＳＡＣＣＨデータを送信する。受信装置が、送信されたＳＡＣＣＨデータを受信する。ＳＡＣＣＨ２期間に相当する期間中、受信装置１２４０は、第１の信号１２６０を送信する。第１の信号は、ＳＡＣＣＨ１期間中に送信装置によって送信され、受信装置１２４０によって受信されているデータの測定された特性（例えば、ＢＥＰ）を備える。第１の信号は、Ｓというラベルが付けられたフレーム（例えば、フレーム４８に先行するフレーム、またはフレーム７１に先行するフレーム）に相当するフレームの中にメッセージを備える。
【０１２５】
送信装置は、ＳＡＣＣＨ３期間の４８というインデックスが付けられたフレームの中で、送信装置が、ディスカバリバーストを含むデータのフレームを送信するまで、（ディスカバリバーストではない）通常のバーストを含むフレームを送信することを続ける。したがって、ＳＡＣＣＨ１のフレーム４８とＳＡＣＣＨ３のフレーム４８の間の時間の間隔は、ディスカバリバーストが全く送信されない、前述した第２の時間間隔である。第２の時間間隔は、ＳＡＣＣＨ期間１のフレーム４８の中のディスカバリバーストの終わりから、ＳＡＣＣＨ期間３のフレーム４８の中のディスカバリバーストの始まりまでの間の時間間隔と定義される。代替として、第２の時間間隔は、ＳＡＣＣＨ期間１のフレーム４８の終わりから、ＳＡＣＣＨ期間３のフレーム４８の始まりまでの間の時間間隔と定義されてもよい。ディスカバリバーストは、この両方のフレームの中で送信される。
【０１２６】
ＳＡＣＣＨ３期間１４０６中、送信装置が、ディスカバリバーストを含む、４８というインデックスが付けられたフレームを送信し、次に、ディスカバリバーストを全く含まない、４９、５０、５１というインデックスが付けられた３つのフレームを送信し、次に、ディスカバリバーストを含む５２というインデックスが付けられたフレームを送信する。次に、送信装置は、ＳＡＣＣＨ５期間１４０８の４８というインデックスが付けられたフレームの中で、送信装置が、ディスカバリバーストを含むデータのフレームを送信するまで、通常のバーストを含むフレームを送信する。
【０１２７】
送信装置は、受信装置によって送信され、ＳＡＣＣＨ２期間に相当する期間中に送信装置によって受信された、測定された特性に応じて、ＳＡＣＣＨ３期間中に、ＳＡＣＣＨ１期間より１つ多い、ディスカバリバーストを含むフレームを送信する。
【０１２８】
同様に、送信装置は、受信装置によって送信され、ＳＡＣＣＨ４期間に相当する期間中に送信装置によって受信された、測定された特性に応じて、ＳＡＣＣＨ５期間中、ディスカバリバーストをそれぞれ含む３つのフレームを送信し、すなわち、送信装置は、ＳＡＣＣＨ５期間中に、ＳＡＣＣＨ３期間より１つ多い、ディスカバリバーストを含むフレームを送信する。
【０１２９】
後のＳＡＣＣＨ期間に関してディスカバリバーストを含むフレームをさらに追加するこのプロセスは、受信されたデータの測定された特性が、予め定義された基準をもはや満たさなくなるまで、または予め定められた割合の送信フレームがディスカバリバーストを含むようになるまで（例えば、すべての送信フレーム）続くことが可能である。
【０１３０】
以下の表４は、１２個のＳＡＣＣＨ期間に関する、インデックスが付けられたＳＡＣＣＨデータフレームの表リストである。ＳＡＣＣＨ１期間からＳＡＣＣＨ８期間までが連続し、さらにＳＡＣＣＨ２１期間からＳＡＣＣＨ２４期間までが連続する。ＳＡＣＣＨ９期間からＳＡＣＣＨ２０期間までは、簡単のために示されていない。ディスカバリバーストを含むフレームが、太字の文字、および太字の枠を有して示される。
【表４】
2014161073.tif 000006
【０１３１】
ＳＡＣＣＨ１期間中、送信装置が、フレーム４８がディスカバリバーストを含み、残りのフレームがディスカバリバーストを含まないフレームを送信する。
【０１３２】
ＳＡＣＣＨ２期間中、ＳＡＣＣＨ１期間中に送信されたデータの測定された特性が、受信装置によって送信され、ＳＡＣＣＨ４期間に相当する期間中に、送信装置によって受信される。この測定された特性は、予め定義された基準を満たす。
【０１３３】
この測定された特性は、予め定義された基準を満たすため、ＳＡＣＣＨ３期間中、送信装置は、フレーム４８とフレーム５２がディスカバリバーストを含み、残りのフレームがディスカバリバーストを含まないフレームを送信する。ディスカバリバーストを含むフレームを追加するプロセスは、後続のＳＡＣＣＨ４期間からＳＡＣＣＨ１３期間に関して示されるとおり続く。
【０１３４】
送信装置が、測定された特性を受信するたびに、送信装置は、同一チャネル動作のための受信装置を選択し、または選択せず、さらに測定された特性に応じて、送信装置は、ディスカバリバーストを含む、より大きい割合のフレームを送信することが可能である。
【０１３５】
この図から、ＳＡＣＣＨ１３期間中、交互のフレームがディスカバリバーストを含むことを見て取ることができる。
【０１３６】
受信装置の最終的な選択は、送信装置が、予め定められた割合の送信フレームの間に、例えば、フレームのすべての間に、または予め定められた最大数のフレームの間に、同一チャネルデータを送信することをもたらす。
【０１３７】
同一チャネル動作のために第１の受信装置が選択された後、第２の受信装置が、前述した手順を使用して選択されるが、第２の受信装置を選択するのに、ディスカバリバーストは、第２のチャネル上で送信され、第２のチャネルは、第２の受信装置に向けられたデータ用であることが異なる。前述のものは、第１のチャネル上でディスカバリバーストを送信して、第１の受信装置を選択することである。
【０１３８】
代替として、第１の受信装置と第２の受信装置が、実質的に同時に選択されて、これにより、第１のデータと第２のデータのそれぞれが、各チャネル上で送信されてもよい。
【０１３９】
以下に説明されるのは、前述の特徴が、ＧＳＭ通信システムまたはＧＥＲＡＮ通信システムにおいてＭＵＲＯＳ／ＶＡＭＯＳを使用して動作している遠隔局１２３〜１２７のペアにどのように適用されることが可能であるかを示す方法および装置である。
【０１４０】
トラヒックチャネルを試験すること
ネットワークは、２つ以上の遠隔局１２３〜１２７がＭＵＲＯＳ  ＴＣＨとして使用する可能性がある複数のトラヒックチャネル（ＴＣＨ）候補を評価できる。選択されたＴＣＨは、ユーザのペアによって現在、使用中である（例えば、これらのユーザが、異なるセルもしくはセクタによりサービスされるとき）ＴＣＨであってもよく、あるいは良好なメトリック（以下を参照）を有することが知られている未使用のＴＣＨであってもよい。その後、遠隔局１２３〜１２７のうちの１つが、既に使用中である別のＴＣＨ上に移され得る。セルの容量を増加させるのに、ネットワークは、ＭＵＲＯＳモードで動作させられる可能性がある、いくつかの現在の遠隔局１２３〜１２７を考慮することが可能である。遠隔局１２３〜１２７の多くのペアが、場合により、基地局無線管理エンティティによって、並行に試験されることが可能である。ネットワークは、拡張されたレポートを使用可能にし、さらに遠隔局１２３〜１２７がＲ９９以降で或る場合、遠隔局１２３〜１２７が、遠隔局１２３〜１２７がＢＥＰを報告することにたよることが可能である。遠隔局１２３〜１２７が、Ｒ９９より前である場合、ネットワークは、遠隔局１２３〜１２７が、Ｒｘｑｕａｌ値およびＲｘＬｅｖ値を示す信号を送信することにたよることが可能である。
【０１４１】
ＭＵＲＯＳがＴＣＨ上で完全に（例えば、すべての、またはほとんどのトラヒックデータフレーム中に）利用される前に、ＴＣＨは以下のように試験され得る。ディスカバリバーストが、基地局１１０、１１１、１１４によって、通常のトラヒック（例えば、音声）バーストの代わりに送信される。遠隔局１２３〜１２７によって基地局１１０、１１１、１１４に返されるレポート（例えば、強化された測定レポート、または拡張されたレポート）が、遠隔局１２３〜１２７が、同一チャネル信号によってもたらされる干渉を十分に阻止することができることを示す場合、より多くのディスカバリバーストが送信される。一例において、ディスカバリバーストは、毎ＳＡＣＣＨ期間などの規則的な間隔で送られ得る。このバーストは、ＭＵＲＯＳディスカバリバーストと呼ばれる。これらのディスカバリバーストは、通常の（非ディスカバリ）トラヒックバーストに対して、以下の態様において異なる。
【０１４２】
ディスカバリバーストの振幅は、異なる。ディスカバリバーストは、数ビット／シンボルのバーストから、半分のバーストまたはバースト全体までから成る。
【０１４３】
ディスカバリバーストの数量は、１つから数個までに及び、さらに不連続のディスカバリバーストから連続するバーストまでに及ぶ。
【０１４４】
ディスカバリバーストの変調タイプは、通常のトラヒックバーストの変調タイプとは異なる。
【０１４５】
ディスカバリバーストの変調タイプは、様々である（すなわち、ＱＰＳＫ、アルファＱＰＳＫ、２つのＧＭＳＫの線形和、ならびに８ＰＳＫ、１６ＱＡＭなどのより高次の変調）。
【０１４６】
ディスカバリバーストがだんだんと追加される場合、遠隔局１２３〜１２７のパフォーマンスは、呼中に許容できないほど低下しない。通信を阻害することなしに遠隔局１２３〜１２７のＭＵＲＯＳ能力を判定することが好ましい。ＧＥＲＡＮシステムは、このシステムが、物理層電力制御のために高速の、または細かいステップのフィードバックループを有さないので、フェージングに対処するようにいくらかのマージンを備えて設計されているため、この判定を行うことができる。ＤＡＲＰ対応の遠隔局の場合、そのようなマージンは十分に大きいので、別の呼をセットアップする目的で、ＤＡＲＰ遠隔局にディスカバリバーストを送信するためにトラヒックバーストを使用することが可能である。以下の表４および表５は、第１のチャネル（チャネル１）上、および第２のチャネル（チャネル２）上で送信装置によって送信されるデータの送信される連続するフレームのリストを示す。これらのフレームには、０から２５までのインデックスが付けられ、その後、フレームインデックスの系列は、０から６まで繰り返す。
【表５】
2014161073.tif 000007
【０１４７】
チャネル１という見出しの付けられた、上記表の第２の列を参照すると、０というインデックスの付けられたフレームに相当する第１の時間間隔中に、第１のデータ系列を備える第１のデータＤ１、および第２のデータ系列を備える第２の（同一チャネル）データＤ２が、第１のチャネル（チャネル１）上で送信される。第１の時間間隔中、第２のデータが、第２のチャネル（チャネル２）上でやはり送信される。
【０１４８】
データの送信フレームは、受信装置１２４０によって受信される。受信装置１２４０は、いくつかのまたは全ての受信フレームに基づいて、受信されたデータの特性を測定し、その特性を示す信号を送信する。この信号が、送信装置１２００によって受信される。
【０１４９】
１から７までのインデックスが付けられたフレームに相当する第２の時間間隔中、第１のデータＤ１が第１のチャネル（チャネル１）上で送信され（しかし第２のデータＤ２は第１のチャネルで送信されない）、第２のデータは、第２のチャネル（チャネル２）上で送信される。オプションとして、第２のデータは、第１の時間間隔中にチャネル２でのみ送信される。このことは、第２のチャネル上で第２のデータの一部分が失われることをもたらすが、より単純な実施形態であり得る。送信されるフレームは、特性に応じて、または特性に応じることなく、同一チャネルのデータを全く含まないことが可能である。
【０１５０】
特性に応じて（例えば、測定されたＢＥＰが許容できる場合）、８および９というインデックスが付けられたフレームに相当する第３の時間間隔中、第１のデータＤ１、および第２の（同一チャネル）データＤ２が、送信装置１２００によって第１のチャネル（チャネル１）上で送信され、さらに第２のデータが、第２のチャネル（チャネル２）上で送信される。オプションとして、第２のデータは、第１の時間間隔中にチャネル２でのみ送信される。
【０１５１】
１０から１５までのインデックスが付けられたフレームに相当する第４の時間間隔中、第１のデータＤ１が第１のチャネル（チャネル１）上で送信され（しかし、第２のデータＤ２はチャネル１上では送信されず）、さらに第２のデータが、第２のチャネル（チャネル２）上で送信される。
【０１５２】
１６から１８までのインデックスが付けられたフレームに相当する第５の時間間隔中、第１のデータＤ１、および第２の（同一チャネル）データＤ２が、第１のチャネル（チャネル１）上で送信され、さらに第２のデータが、第２のチャネル（チャネル２）上で送信される。
【０１５３】
１９から２５までのインデックスが付けられたフレームに相当する第６の時間間隔中、第１のデータＤ１が第１のチャネル（チャネル１）上で送信され（しかし、第２のデータＤ２はチャネル１上では送信されず）、さらに第２のデータが、第２のチャネル（チャネル２）上で送信される。
【０１５４】
０から６までのインデックスが付けられたフレームに相当する第７の時間間隔中、第１のデータＤ１、および第２の（同一チャネル）データＤ２が、第１のチャネル（チャネル１）上で送信され、さらに第２のデータが、第２のチャネル（チャネル２）上で送信される。
【０１５５】
このため、受信されたデータの測定された特性に応じて、第２のデータは、第１のデータと同一のチャネル上で送信されるか送信されない。さらに、表４に示されるとおり、第２のデータは、受信されたデータの測定された特性に依存する時間間隔中に、第１のデータと同一のチャネル上で送られる。例えば、表４の受信されるフレーム０から７に関して（またはフレーム０だけに関して）報告されたＢＥＰが、予め定められた範囲内にある場合、第１のデータと第２の（同一チャネル）データの両方が、フレーム８および９の中で送信される。同一チャネルのデータを送るための時間間隔（すなわち、この例において、フレームの数）は、測定された特性が、その予め定められた範囲内にとどまる限り、さらに目標の割合のフレームが同一チャネルのデータを含むまで、経時的に増加するように設定され得る。
【０１５６】
このため、表４は、チャネル１上で送信される複数のフレームのうちの一部のフレームが、ディスカバリバーストすなわち同一チャネルのデータを含み（第１の受信装置に向けられた第１のデータＤ１、および第２の受信装置に向けられた第２のデータＤ２）、チャネル２上で送信されるフレームのすべてが第２のデータＤ２だけを含む、データの送信される連続するフレームのリストを示す。ディスカバリバーストは、前述したとおり、第１の受信装置を選択するように、または選択しないように使用される。
【０１５７】
表５は、チャネル１上で送信される複数のフレームのうちの一部のフレームが、ディスカバリバーストを含み、チャネル２上で送信されるフレームのすべてが、第２のデータＤ２だけを含み、さらに、チャネル２上で送信される複数のフレームのうちの一部のフレームが、ディスカバリバーストを含む、データの送信される連続するフレームのリストを示す。簡単のため、ディスカバリバーストは、チャネル１とチャネル２の両方に関して同一のフレームの中で送信されるものとして示されるが、ディスカバリバーストは、チャネル２に関して、チャネル１の場合とは異なるフレームの中で送信されてもよい。
【０１５８】
図５に示されるディスカバリバーストは、前述したとおり、第１の受信装置１２４０を選択するように、または選択しないように使用され、さらに第２の受信装置１２４０を選択するように、または選択しないように使用される。
【０１５９】
添付の図面の図１３は、同一チャネル動作のために受信装置１２４０を選択する方法のフローチャートである。第１のデータのために第１のデータ系列が選択される（ブロック１６０１）。第１のデータ系列は、第１のトレーニング系列を備える。第１のデータを送信するための第１の電力レベルが決定される（ブロック１６０２）。第２のデータのために第２のデータ系列が選択される（ブロック１６０３）。第２のデータ系列は、第２のトレーニング系列を備える。第２のデータを送信するための第２の電力レベルが決定される（ブロック１６０４）。受信装置１２４０の等化器１１０５が、第１のトレーニング系列を使用して、第１の信号を第２の信号から区別することができ、さらに第２のトレーニング系列を使用して、第２の信号を第１の信号から区別することができる。
【０１６０】
第１のデータ、および第２のデータが、それぞれの第１の電力レベル、および第２の電力レベルで、第１のチャネル上で送信される（ブロック１６０５）。送信されるデータは、受信装置１２４０（ブロック１６０６）において受信され、さらにそのデータの特性、ＢＥＰが測定される（ブロック１６０７）。受信装置１２４０が、ＢＥＰを示す信号を送信する（ブロック１６０８）。送信装置１２００が、その信号を受信する（ブロック１６０９）。測定された特性が予め定義された基準を満たすかどうか、例えば、ＢＥＰが、予め定義された限度内に入るかどうかの判定が行われる（ブロック１６１０）。測定された特性が、その予め定義された基準を満たす場合、受信装置１２４０は、同一チャネル動作のために選択される（ブロック１６１１）。測定された特性が、その予め定義された基準を満たさない場合、受信装置１２４０は、同一チャネル動作のためには選択されず（ブロック１６１２）、単一チャネル動作のために選択される。
【０１６１】
添付の図面の図１４は、同一チャネル動作のために受信装置１２４０を選択する方法のさらなるフローチャートである。このフローチャートにおいて、これらのステップは、ブロック１７０７で、第１のデータおよび第２のデータ（第１のデータだけでなく）の特性が測定されることを除いて、図１３に示されるステップと同一である。図１３のブロック１６０７では、第１のデータだけの特性が測定される。
【０１６２】
音声コーデックの選択
別の配慮事項は、どの音声コーデックが使用されるかに応じて、ＤＡＲＰ対応の遠隔局１２３〜１２７のＣＣＩ阻止にばらつきがあることである。例えば、ペアにされた２つの遠隔局１２３〜１２７に関する送信電力の比が、コーデックの選択によって影響を受ける可能性もある。例えば、低コーデックレート（ＡＨＳ４．７５などの）を使用する遠隔局１２３〜１２７が、符号化利得のために、遠隔局１２３〜１２７が高コーデックレート（ＡＨＳ５．９などの）を使用したとする場合よりも低い電力（２ｄＢなどの）を受信しながらも、依然として動作することができる。遠隔局１２３〜１２７のペアのためにより良好なコーデックを見出すのに、ルックアップテーブルを使用して、そのペアに適切なコーデックが見出される。このため、ネットワークは、ａ）基地局１１０、１１１、１１４から遠隔局１２３〜１２７までの距離、およびｂ）使用されるコーデック、に応じて異なるダウンリンク電力レベルを割り当てる。
【０１６３】
添付の図面の図１５は、異なるコーデックについての異なるレベルの信号対雑音比（Ｅｂ／Ｎｏ）の下におけるＦＥＲパフォーマンスのグラフである。
【０１６４】
添付の図面の図１６は、異なるコーデックについての異なるレベルの搬送波対干渉比（Ｃ／Ｉ）の下におけるＦＥＲパフォーマンスのグラフである。
【０１６５】
ネットワークが、基地局１１０、１１１、１１４から同様の距離にある同一チャネルのユーザを見出した場合、よりよい。このことは、ＣＣＩ阻止のパフォーマンス限度による。１つの信号が、より弱い信号と比べて、より強い場合、弱い方の信号は、弱い方の信号と強い方の信号との電力非常に大きい場合、強い方の信号による弱い方の信号に対する干渉のために検出されない可能性がある。したがって、ネットワークは、同一チャネルおよび同一タイムスロットを割り当てる際、基地局１１０、１１１、１１４から新たなユーザまでの距離を考慮する。以下に説明される手順は、ネットワークが、他のセルに対する干渉を最小限に抑えることを可能にする。
【０１６６】
遠隔局１２３〜１２７は、例えば、各遠隔局１２３〜１２７によって報告されたＲｘＬｅｖと、候補ＭＵＲＯＳ遠隔局１２３〜１２７になされたトラヒック割当て（ＴＡ）とに基づいて、ＭＵＲＯＳ動作の候補として選択される。ネットワークは、遠隔局１２３〜１２７の可能なＭＵＲＯＳペアリンググループを動的に決定する。例えば、ＤＡＲＰ対応でない遠隔局１２３〜１２７が、ＤＡＲＰ対応の遠隔局１２３〜１２７と比べて、サービング基地局１１０、１１１、１１４からより遠くに離れている場合、２つの遠隔局１２３〜１２７について送信電力レベルが異なるように、前述したとおり、２つの遠隔局１２３〜１２７をペアにすることが可能である。
【０１６７】
遠隔局１２３〜１２７のグループを動的にペアにするために、ネットワークは、セル内の遠隔局１２３〜１２７に関する前述の情報（例えば、範囲、ＲＸＬＥＶなど）の動的なデータベースを保持し、ＲＦ環境が変化した際に、ペアリングに変更を行う準備をすることが可能である。これらの変更には、新たなペアリング、ペアリング解除、ならびにペアの遠隔局１２３〜１２７の両方の再ペアリング、またはそのペアの片方だけの再ペアリングが含まれる。これらの変更は、ペアにされたＭＵＲＯＳ遠隔局１２３〜１２７の間の電力比の変化によって、さらに各ＭＵＲＯＳ発呼者によって使用されるコーデックの変化によっても決定される。
【０１６８】
前述したとおり、メトリック、ＲＸｑｕａｌ／ＢＥＰおよびＲｘＬｅｖが、ディスカバリバーストの効果を測定するのに使用され得る。Ｒｘｑｕａｌの関連する増加、またはＢＥＰの減少（すなわち、遠隔局１２３〜１２７における受信されるデータの低下した品質）を有するディスカバリバーストについて、その時点における遠隔局１２３〜１２７は、ディスカバリバーストが送信されるＴＣＨ候補上のＭＵＲＯＳに適していない可能性がある。他方、ディスカバリバーストに関するＢＥＰ／Ｒｘｑｕａｌが、通常のバーストと比べて、それほど悪くない場合、ＭＵＲＯＳは、その候補ＴＣＨに適している可能性がある。
【０１６９】
０ｄＢのＭＵＲＯＳディスカバリバースト（同一チャネルのデータが、通常のトラヒックデータと同一の電力レベルまたは振幅で送信される）の場合、ＲｘＬｅｖメトリックは、ディスカバリバーストが送られるＳＡＣＣＨ期間中に３ｄＢの増加を有することが可能である。そのような試験は、様々なコーデックで使用されることも可能である。例えば、ＤＡＲＰ対応の電話機１２３〜１２７におけるコーデックＡＳＨ５．９を使用し、さらにディスカバリバーストの中の２つのＭＵＲＯＳ信号の間で０ｄＢのＭＵＲＯＳ電力比を割り当てることは、Ｒｘｑｕａｌ／ＢＥＰメトリックの最小限の低下しか生じさせない。他方、ＤＡＲＰ対応でない電話機１２３〜１２７は、同じ条件下において、１つだけのディスカバリバーストが送信された後であっても、Ｒｘｑｕａｌメトリックの低下を示すことが可能である。また、１つのＳＡＣＣＨ期間の持続時間（０．４８秒）を有するディスカバリバーストに関して、ＲｘＬｅｖメトリックは、（０ｄＢの同一チャネルの電力比のために）通常の非ディスカバリバーストと比べて３ｄＢ高い。
【０１７０】
ＤＡＲＰ対応である遠隔局１２３〜１２７の場合、ＤＡＲＰ対応でない電話機１２３〜１２７、およびＤＡＲＰ対応の電話機１２３〜１２７とペアになる能力についてのさらなる情報が獲得され得る。この情報には、同一ＴＣＨユーザの間の電力比、各同一ＴＣＨユーザに、そのユーザの条件で適用され得るコーデック、または使用されるべきトレーニング系列が含まれる。このため、同一ＴＣＨは、多種多様なＭＵＲＯＳ遠隔局１２３〜１２７に適合され得る。
【０１７１】
見込みのある同一ＴＣＨユーザに関する信号の電力の段階的な増加によって、さらにメトリックが許容できるパフォーマンスを示す適切な比を測ることによって、ＭＵＲＯＳ同一ＴＣＨ上でペアにされ得る２つの遠隔局１２３〜１２７の間の持続可能な電力比を得ることが可能である。電力比が或る値、例えば−４ｄＢを下回っている遠隔局１２３〜１２７の場合、その遠隔局１２３〜１２７をＤＡＲＰ対応でない電話機１２３〜１２７とペアにすることが可能である。電力比が約０ｄＢである遠隔局１２３〜１２７の場合、ＤＡＲＰ対応の遠隔局１２３〜１２７が、別のＤＡＲＰ遠隔局とペアになるように使用されることが可能である。
【０１７２】
ＭＵＲＯＳ呼に適切である、またはＭＵＲＯＳ呼を行っていた遠隔局１２３〜１２７の場合、同様の推定を適用し、ネットワークは、条件が遠隔局１２３〜１２７を通常の動作に戻すことを示す場合には、遠隔局１２３〜１２７をそのように切り換える。本明細書、および添付の図面において説明される実施例は、ＭＵＲＯＳ対応の遠隔局１２３〜１２７とペアにされる際に遠隔局１２３〜１２７が新たに行うことは全くないので、レガシー遠隔局１２３〜１２７と一緒に機能する。レガシーＤＡＲＰ遠隔局１２３〜１２７は、スマートなネットワークが、セル内の良好な容量利得のためにその遠隔局１２３〜１２７のＤＡＲＰ能力を使用していることを認識することなしに、単に通常の動作であるかのように動作する。
【０１７３】
規定されたディスカバリバーストの説明
進行中の音声呼は、ＳＡＣＣＨによって存続させられ、保たれる。基地局１１０、１１１、１１４は、一例では、遠隔局１２３〜１２７のＲＸＱｕａｌの値などの情報を含む遠隔局１２３〜１２７のＳＡＣＣＨレポートに依拠して、次に何を行うべきかを決定する。各ＳＡＣＣＨ期間／フレームは、１０４フレームであり、４８０ミリ秒の長さである。強化された電力制御（ＥＰＣ）が、期間／フレーム長を２６フレームで１２０ミリ秒の長さに短縮することができる。遠隔局１２３〜１２７は、前のＳＡＣＣＨ期間パフォーマンスを報告するように使用され、したがって、４８０ミリ秒または１２０ミリ秒の遅延が存在する。多くの数のＳＡＣＣＨレポートが欠落している場合、呼はドロップされる。事業者は、呼がドロップされる場合の欠落したＳＡＣＣＨレポートの値またはしきい値を設定することが可能である。例えば、２５個のＳＡＣＣＨフレームを失うと、呼をドロップする可能性が高い。他方、１つのＳＡＣＣＨフレームが失われた場合、呼は、ドロップされない。呼ドロップ判定を行う方法が使用され得る。
【０１７４】
遠隔局１２３〜１２７がＭＵＲＯＳ対応であるかどうかを判定するためにＥＰＣを使用すると、ＥＰＣの期間／フレーム長がより短いため、より迅速であり得る。遠隔局１２３〜１２７がＭＵＲＯＳ対応であるかどうかを判定するために、ディスカバリバーストを送るとき、ＥＰＣと通常のＳＡＣＣＨフレームの両方が、ネットワークによって使用され得る。以下は、動作のポイントを説明するための、通常のＳＡＣＣＨ期間中にディスカバリバーストを送ることのいくつかの例である。同一の方法が、ＥＰＣ事例に適用され得る。
【０１７５】
不要なドロップされる呼をもたらさないために、ディスカバリバーストは、軽く適用される、すなわち、最初に、ＳＡＣＣＨ期間当り１つのディスカバリバーストが適用される。このため、最初は、ＳＡＣＣＨ期間内の１０４のフレームのうち１フレームの間に限って、ディスカバリバーストが送られる。その後、ディスカバリバーストが送られるフレームの数が増やされる。ＭＵＲＯＳは、ＳＡＣＣＨ期間内のすべてのＳＡＣＣＨフレーム（１０４）中に送られたディスカバリバーストを扱うことに全く問題がない遠隔局１２３〜１２７に適用される。一例において、遠隔局１２３〜１２７が、ＭＵＲＯＳ動作のために十分に良好であることを確認するために、複数のＳＡＣＣＨフレームにディスカバリバーストを送ることは役立つ。
【０１７６】
図１７は、一連のＳＡＣＣＨ期間に関してＳＡＣＣＨ期間内のディスカバリバーストの数を漸進的に増加させる方法のフローチャートである。この方法は、低リスクであり、不良な音声品質、およびドロップされる呼を回避する。
【０１７７】
最初、基地局１１０、１１１、１１４は、良好なＲｘｑｕａｌ値、例えば、Ｒｘｑｕａｌ＝０を報告する遠隔局からＭＵＲＯＳ遠隔局を選択する（図１７のステップ１８０５）。
【０１７８】
基地局の送信装置は、ＳＡＣＣＨ期間の１０４フレームのうちの１フレーム中に１つだけのディスカバリバーストを送る（図１７のステップ１８１０）。例えば、１つのディスカバリバーストが、ＴＣＨフレーム４８中に送られる。フレーム４８から始める理由は、フレーム４８が音声ブロックの最初のバーストであること、および基地局１１０、１１１、１１４が、遠隔局から受信された前のＳＡＣＣＨデータを処理するのにいくらかの時間を使用することが可能であることである。フレーム４８は、ＳＡＣＣＨ期間の中心に近い。このことは、基地局１１０、１１１、１１４に、次のＳＡＣＣＨ期間が始まる前に、前のＳＡＣＣＨ期間中の遠隔局１２３〜１２７のレポートを分析する十分な時間を与える。
【０１７９】
次のＳＡＣＣＨ期間中に、基地局１１０、１１１、１１４が、前のＳＡＣＣＨ期間中の遠隔局１２３〜１２７のＲｘＱｕａｌのレポートを受信する（ステップ１８１５）。ＢＥＰまたはＲｘＬｅｖなどの他の測定された特性が、レポートの中で識別され得る。基準ＲｘＱｕａｌが基地局１１０、１１１、１１４に報告される次のＳＡＣＣＨ期間内に、ディスカバリバーストは全く送られない。
【０１８０】
次に、基地局１１０、１１１、１１４は、ＲＸＱｕａｌが許容できるかどうかを判定する（ステップ１８１７）。Ｒｘｑｕａｌが許容できる（例えば、Ｒｘｑｕａｌ＜＝１である）場合、基地局１１０、１１１、１１４は、次のＳＡＣＣＨ期間中に２つのディスカバリバーストを送信する（ステップ１８２０）。例えば、ディスカバリバーストは、ＴＣＨフレーム４８および５２の間に送られ得る。この手順は、早期の段階で１つの音声ブロック（４フレーム）の中で２つのディスカバリバーストを送ることを回避する。ディスカバリバーストが、このＴＣＨ上で音声データ誤りをもたらす場合、音声品質が受ける影響は、２つのディスカバリバーストが１つの音声ブロックの中で送られない場合より小さい。
【０１８１】
次のＳＡＣＣＨ期間（ＳＡＣＣＨ（Ｎ＋１）期間）は、現ＳＡＣＣＨ期間（ＳＡＣＣＨ  Ｎ期間）に関する遠隔局１２３〜１２７のＲｘＱｕａｌを基地局１１０、１１１、１１４に報告するのに使用される（ステップ１８２５）。ＲｘＱｕａｌが許容できない場合、さらなるディスカバリバーストは送られない（ステップ１８２２）。
【０１８２】
或るしきい値に達するまで、ＳＡＣＣＨ期間中に、数が次第に増加するディスカバリバーストが、基地局１１０、１１１、１１４によって遠隔局１２３〜１２７に送信される。一例において、このしきい値は、ＳＡＣＣＨフレーム内の２４すべての音声ブロックの最初のバーストが、ディスカバリバーストを含むことである。別の例において、ディスカバリバーストは、ＳＡＣＣＨ期間の１０４すべてのフレーム中で送信される。ディスカバリバーストを送信するためのステップの可能な系列は、１：２：４：８：２４であり、これは、４８０×２×５＝４８００ミリ秒である。したがって、第１の段階は、ショートリストに載せられる良好なＭＵＲＯＳ候補を判定するのに約５秒を使用する。
【０１８３】
次のＳＡＣＣＨ期間中、基地局１１０、１１１、１１４が、前のＳＡＣＣＨ期間中の遠隔局１２３〜１２７のＲｘＱｕａｌのレポートを受信する（ステップ１８２５）。
【０１８４】
ＲｘＱｕａｌが依然として許容できるかどうかの判定が行われる（ステップ１８２８）。遠隔局１２３〜１２７のＲｘｑｕａｌが依然として許容できる場合、ＳＡＣＣＨ中に送信されるディスカバリバーストの最大数に関するしきい値に達したかどうかの確認が行われる（ステップ１８３０）。ＲｘＱｕａｌが許容できない場合、さらなるディスカバリバーストは送信されない（ステップ１８３２）。そのしきい値に達している場合、ディスカバリバーストを含むフレームの割合は、もはや増やされない（ステップ１８３５）。そのしきい値が達せられていない場合、１ＳＡＣＣＨ期間内のディスカバリバーストの数が増やされ、プロセスは、ステップ１８２５に戻り、ＲＸＱｕａｌの次の報告を待つ（図１７のステップ１８４０）。
【０１８５】
一例において、Ｒｘｑｕａｌ＜３を有さない遠隔局１２３〜１２７に関して、ディスカバリは停止され、これらの遠隔局１２３〜１２７は、ＭＵＲＯＳ対応の遠隔局１２３〜１２７のショートリストから落とされる。基準ＳＡＣＣＨ期間は、遠隔局１２３〜１２７のＲｘｑｕａｌを、ディスカバリバーストが送られたＳＡＣＣＨ期間中の遠隔局１２３〜１２７のＲｘｑｕａｌと比較すべき良好な基準期間であることが可能である。１つの理由は、遠隔局１２３〜１２７の環境が、いずれのディスカバリバーストとも無関係にＲｘＱｕａｌが低下するように変化することである。このことは、遠隔局１２３〜１２７が、他の遠隔局１２３〜１２７から強い干渉を受ける場合に、または遠隔局の信号が、不良なマルチパスフェージングを経験する場合に生じる。
【０１８６】
ＳＡＣＣＨ期間＃１１内に示される１／４ディスカバリバーストレート（４つ目のフレームごとに１つのディスカバリバーストが送信される）が、一般に、ＭＵＲＯＳ候補の良好な目安である。そこから、基地局１１０、１１１、１１４は、ＳＡＣＣＨ期間＃１３内に２倍の数のディスカバリバーストを送信し（２つ目のフレームごとに１つのディスカバリバーストが送信される）、あるいは基地局１１０、１１１、１１４は、ディスカバリバーストの電力レベルを変更する。
【０１８７】
添付の図面の図１８は、単一のチャネルを共有する第１の信号と第２の信号を生成するように多元接続通信システムにおいて動作するための装置を示す。（第１および第２の遠隔局１２３〜１２７についての）第１のデータソース４００１および第２のデータソース４００２が、送信のために第１のデータ４０２４、および第２のデータ４０２５をもたらす。系列ジェネレータ４００３が、第１の系列４００４、および第２の系列４００５を生成する。第１のコンバイナ４００６が、第１の系列４００４と第１の４０２４データとを組み合わせて（コンバインしてcombine）、第１の組み合わされたデータ４００８を生成する。第２のコンバイナ４００７が、第２の系列４００５と第２のデータ４０２５とを組み合わせて（コンバインしてcombine）、第２の組み合わされたデータ４００９を生成する。
【０１８８】
第１の組み合わされたデータ４００８、および第２の組み合わされたデータ４００９は、第１の搬送周波数４０１１および第１のタイムスロット４０１２を使用して、第１の組み合わされたデータ４００８と第２の組み合わされたデータ４００９の両方を変調するために送信機変調器４０１０に入力される。この例において、搬送周波数は、発振器４０２１によって生成される。送信器変調器が、第１の変調された信号４０１３、および第２の変調された信号４０１４をコンバイナ４０２２に出力し、コンバイナ４０２２が、変調された信号４０１３、４０１４を組み合わせて（コンバインしてcombine）、送信のための組み合わされた信号を生成する。コンバイナ４０２２に接続されたＲＦフロントエンド４０１５が、この組み合わされた信号をベースバンドからＲＦ（無線周波数）周波数にアップコンバートすることによって、この組み合わされた信号を処理する。このアップコンバートされた組み合わされた信号が、アンテナ４０１６に送られ、このアップコンバートされた信号は、電磁放射を介して送信される。コンバイナ４０２２は、送信機変調器４０１０またはＲＦフロントエンド４０１５または別個のデバイスの一部分であることが可能である。
【０１８９】
ＶＡＭＯＳのためのＳＡＣＣＨのＤＴＸパフォーマンス
関連する制御チャネル（ＡＣＣＨ）のロバスト性が、ＡＣＣＨが（トラヒックチャネル、ＴＣＨとは異なり）組み込まれた冗長性を全く有さないため、ネットワークボイス容量に影響を与える。つまり、すべてのＡＣＣＨデータは、専用のデータセッション、例えば、ボイスセッションを継続するために、ほとんど誤りなしに受信されなければならない。ＡＣＣＨは、低速の関連する制御チャネル（ＳＡＣＣＨ）と、高速の関連する制御チャネル（ＦＡＣＣＨ）とを備える。
【０１９０】
通信ネットワークは、同一のチャネル上で複数の遠隔局と通信する。これを行うため、第１の信号が、第１の電力レベルで送信され、この信号は、第１の遠隔局に向けられた第１のデータを含み、さらに第２の信号が、第１の信号と同時に第２の電力レベルで、同一のチャネル上で送信され、第２の信号は、第２の遠隔局に向けられた第２のデータを含む。第１のデータは第１のＳＡＣＣＨデータを含み、第２のデータは第２のＳＡＣＣＨデータを含む。
【０１９１】
ネットワークは、２つの状況において、このように通信する。第１の状況において、第１の基地局は、第１の信号を送信し、第２の基地局は、第２の信号を送信する。第２の状況において、第１の基地局は、第１の信号と第２の信号の両方を送信する。第２の状況において、第１の信号と第２の信号は、送信機において組み合わされ（コンバインされ）、１つの信号として送信され得る。
【０１９２】
基地局１１０、１１１、１１４は、マルチユーザオンワンスロット（ＭＵＲＯＳ（Multi-User on One Slot））またはボイスサービスオーバアダプティブマルチユーザオンワンタイムスロット（ＶＡＭＯＳ（Voice services over Adaptive Multi-user on One timeSlot））という総称で知られている方法により動作することによって、第１の信号と第２の信号を同一のチャネル上で送信する。これらの方法によれば、異なるトレーニング系列が、各信号に関して使用される。この動作原理は、２つより多くの遠隔局に拡張され得る。
【０１９３】
各遠隔局は、第１のＳＡＣＣＨデータと第２のＳＡＣＣＨデータを同一のチャネル上で同時に受信する。第２の遠隔局が、第２のＳＡＣＣＨデータを第２の遠隔局が受信する電力レベルよりも高いレベルで、例えば１０ｄＢ高いレベルで、第１のＳＡＣＣＨデータを受信した場合、第１のＳＡＣＣＨデータは、第２の遠隔局において第２のＳＡＣＣＨデータに干渉し、それによって、第２の遠隔局において、受信された第２のＳＡＣＣＨデータの品質が第２の遠隔局によって呼を維持するには大き過ぎるほど低下させられる。
【０１９４】
第１のＳＡＣＣＨデータを第２のＳＡＣＣＨデータから時間的にずらすことにより、第２の遠隔局が、第１のＳＡＣＣＨデータと第２のＳＡＣＣＨデータとを異なる時点で受信し、したがって、第１のＳＡＣＣＨデータが、第２の遠隔局において第２のＳＡＣＣＨデータに干渉しないため、前述の問題が、概ね回避され得る。
【０１９５】
さらに、第１のＳＡＣＣＨデータと第２のＳＡＣＣＨデータが前述したとおりずらされる場合、第２のＳＡＣＣＨデータの電力レベルを、第２のＳＡＣＣＨデータが第１のＳＡＣＣＨデータにそれでも干渉しないように増加することができる。このことは、第２の遠隔局が、第２の遠隔局によって受信される第２のＳＡＣＣＨデータの品質の低下を経験する場合、第２の遠隔局に有利である。例えば、第２の遠隔局が、第１の遠隔局より大きな、基地局からのパスロスを被り、さらにマルチパスに起因する急なまたは一時的なフェージングを経験する。
【０１９６】
ＤＴＸは、ワイヤレスデバイス（例えば、遠隔局）のマイクロフォンに有意な音声（ボイス）入力が全く存在しない場合に、音声データの送信を一時的に中断することによって、ワイヤレスデバイスの全体的な効率を向上させる方法である。通常、双方向の会話の際、遠隔局のユーザは、時間の半分よりわずかに短い間話す。送信のデューティサイクルは、送信機信号が、音声入力の期間中にだけオンに切り換えられる場合、５０パーセント未満に削減され得る。このことは、干渉を低減すること、およびバッテリ電力を節約することによって、効率を向上させる。
【０１９７】
進行中の音声（ボイス）呼は、低速の関連する制御チャネル（ＳＡＣＣＨ）上でメッセージ送信することによって維持される。基地局１１０、１１１、１１４は、例えば、遠隔局１２３〜１２７のＲＸＱｕａｌの値のような情報を含む遠隔局１２３〜１２７のＳＡＣＣＨレポートに依拠して、次に何を行うべきかを決定する。ＳＡＣＣＨは、ＳＡＣＣＨ期間ごとに１回、送信される。各ＳＡＣＣＨ期間は、強化された電力制御（ＥＰＣ）が使用されない限り、１０４フレームの長さ（４８０ミリ秒）であり、ＥＰＣが使用される場合は、期間の長さは２６フレーム（１２０ミリ秒）に短縮される。遠隔局１２３〜１２７は、ＳＡＣＣＨ期間内に、前のＳＡＣＣＨ期間中のＳＡＣＣＨのパフォーマンスを示すレポートを送信する。したがって、報告する際に４８０ミリ秒または１２０ミリ秒の遅延が存在する。
【０１９８】
ネットワークは、隣接セルの通信信号の間に、特に、大きな同一チャネル干渉（ＣＣＩ）または隣接チャネル干渉（ＡＣＩ）を有する信号の間に、時間オフセットを適用する（ステップ１５３０）。例えば、時間オフセットは、整数のデータフレーム持続時間である。その結果、ＳＡＣＣＨは、ＴＣＨの電力より大きい電力で基地局によって送信されるものの、セルのクラスタの中の１つのセルだけが、任意の時点でセルのＳＡＣＣＨの電力レベルを上昇させている。
【０１９９】
時間オフセットは、いくつかの遠隔局のそれぞれに関して異なり、したがって、各遠隔局のＳＡＣＣＨは、その他の遠隔局のＳＡＣＣＨから時間的にずらされている。このようにフレームオフセットを適用するために、ネットワークは、例えば、いくつかの基地局が、共通の時間基準を利用し、さらに各基地局が、その共通の時間基準との関係で時間オフセットを適用することによって、基地局の送信を同期させる。
【０２００】
このため、前述したとおり、２つ以上の遠隔局に向けられたＳＡＣＣＨ送信をずらすことは、同一チャネル動作が、遠隔ペアにされた遠隔局１２３〜１２７の少なくとも一方によって受信されるＳＡＣＣＨデータの品質を、他方の遠隔局１２３〜１２７に向けられたデータからの干渉のために、低下させるという問題を部分的に解消する。ＳＡＣＣＨデータは、ＳＡＣＣＨが冗長性を全く有さない、すなわち、すべてのＳＡＣＣＨフレームが、ほとんど誤りなしに受信されなければならないため、トラヒック（ＴＣＨ）データと比べて、同一チャネル動作によって受ける悪影響がより大きい。
【０２０１】
より詳細には、時間オフセットは、基地局によって送信されるすべてのデータに適用される、またはＳＡＣＣＨデータだけに適用される（例えば、トラヒックデータには適用されない）、または少なくともＳＡＣＣＨデータには適用されることが可能である。以下に説明されるのは、第１のＳＡＣＣＨデータと第２のＳＡＣＣＨデータが互いに時間的にずらされる例示的な実施形態である。
【０２０２】
ＤＴＸパフォーマンス分析
図１９は、レガシーＶＡＭＯＳモードにおけるトラヒックチャネルハーフレート音声（ＴＣＨ／ＨＳ）および低速の関連する制御チャネル／ハーフレート音声（ＳＡＣＣＨ／ＨＳ）に関するＴＤＭＡフレームマッピングの例を示す。
【０２０３】
図２０は、シフテッドＳＡＣＣＨモードにおけるトラヒックチャネルハーフレート音声（ＴＣＨ／ＨＳ）および低速の関連する制御チャネル／ハーフレート音声（ＳＡＣＣＨ／ＨＳ）に関するＴＤＭＡフレームマッピングの例を示す。
【０２０４】
例えば、２つのハーフレート（ＨＲ）チャネルを再使用する４名のユーザ（ｕ１からｕ４）が存在する。ユーザｕ１およびｕ２は、レガシーＴＤＭＡフレームマッピングを使用するレガシー遠隔局１２３〜１２７である。ユーザｕ３およびｕ４（またはｕ３’およびｕ４’）は、ＶＡＭＯＳ対応の遠隔局１２３〜１２７である。ｕ３とｕ３’（ｕ４とｕ４’）の違いは、ｕ３とｕ３’が異なるフレームマッピング方法を使用していることである。ｕ３は、レガシーフレームマッピング方法を使用し、ｕ３’は、シフテッドＳＡＣＣＨマッピング方法を使用する。遠隔局１２３〜１２７、ｕ１およびｕ３（またはｕ３’）が、一方のハーフレート（ＨＲ）チャネルにおける２名のペアにされたユーザである。遠隔局１２３〜１２７、ｕ２およびｕ４（またはｕ４’）が、他方のハーフレート（ＨＲ）チャネルにおける２名のペアにされたユーザである。
【０２０５】
音声が非アクティブの間の不連続送信（ＤＴＸ）は、様々なセルラ音声通信システムにおいて適用される。これは、基本的に、音声沈黙の期間中に送信をオフにする技術である。目的は、無線インターフェース上で同時に送信している他のユーザにもたらされる干渉を低減し、遠隔局１２３〜１２７におけるバッテリ電力を節約することである。ＤＴＸは、音声フレーム中に動作させられる。ＳＡＣＣＨシグナリングフレームは、このＤＴＸモードを使用しない。つまり、ペアにされたＭＵＲＯＳユーザが、図１９に示されるとおり、レガシーＶＡＭＯＳモードにおいてマッピング方法を使用する場合、ＳＡＣＣＨは、ＴＣＨがＤＴＸから利益を得るのと同様には、ＤＴＸから利益を得ない可能性がある。２つのペアにされた遠隔局の第１の遠隔局に関するＳＡＣＣＨの干渉は、ペアにされた第２の遠隔局の受信機において絶え間なく存在する。
【０２０６】
他方、ペアにされたＭＵＲＯＳユーザが、図２０に示されるシフテッドＳＡＣＣＨモードでマッピング方法を使用する場合、ペアにされた第１の遠隔局に関するＳＡＣＣＨ情報が、ペアにされた第２の遠隔局のＴＣＨフレームと同時に送信され、ペアにされた第２の遠隔局に関するＳＡＣＣＨ情報が、ペアにされた第１の遠隔局のＴＣＨフレームと同時に送信される。ＤＴＸが、使用可能にされる、またはアクティブである場合、ペアにされたユーザの音声が非アクティブである際に、ＳＡＣＣＨ情報が、完全な電力で、ＧＭＳＫ変調で送信されて、リンクの劣化に対するＳＡＣＣＨデータリンクの耐性を高めることが可能である。したがって、この場合、ＳＡＣＣＨパフォーマンスが向上させられる。
【０２０７】
トラヒックチャネル（ＴＣＨ）と比較された関連する制御チャネル（ＡＣＣＨ）の相対パフォーマンスが、ＡＣＣＨリンクレベルパフォーマンスをグラフ表示することによって評価された。ＡＣＣＨは、高速の関連する制御チャネル（ＦＡＣＣＨ）と、低速の関連する制御チャネル（ＳＡＣＣＨ）とを備える。
【０２０８】
図２１は、１％ＦＥＲに関してＳＡＣＣＨによって使用されるＣ／Ｉに対する、１％ＦＥＲに関してＴＣＨのために使用されるＣ／ＩのＤＴＸパフォーマンス分析の図である。この図は、ＤＴＸを使用する比較、およびＤＴＸを使用しない比較を含め、レガシーＤＡＲＰ受信機とＭＵＲＯＳ（またはＶＡＭＯＳ）受信機の相対パフォーマンスを表す。曲線２１１は、レガシーＤＡＲＰ  ＴＣＨを表す。曲線２１２は、レガシーＤＡＲＰ  ＳＡＣＣＨを表す。曲線２１３は、ＤＴＸを使用しないＭＵＲＯＳ（ＶＡＭＯＳ）ＴＣＨを表す。曲線２１４は、ＤＴＸを使用しないＭＵＲＯＳ（ＶＡＭＯＳ）ＳＡＣＣＨを表す。曲線２１５は、ＤＴＸを使用しないＭＵＲＯＳ（ＶＡＭＯＳ）ＴＣＨを表す。曲線２１６は、ＤＴＸを使用するＭＵＲＯＳ（ＶＡＭＯＳ）シフテッドＳＡＣＣＨを表す。図２１に示されるとおり、識別文字ａおよびｂは、それぞれ、（ｉ）レガシーＤＡＲＰ受信機のＳＡＣＣＨおよびＴＣＨに関して１％のＦＥＲを実現するのに使用されるＣ／Ｉの値と、（ｉｉ）ＶＡＭＯＳ受信機のＳＡＣＣＨおよびＴＣＨに関して１％のＦＥＲを実現するのに使用されるＣ／Ｉの値の違いを表す。例えば、グラフ上の識別子、ａは、レガシーＤＡＲＰ  ＳＡＣＣＨ（曲線２１２）が、レガシーＤＡＲＰ  ＴＣＨ（曲線２１１）と比べて、１％のＦＥＲを実現するのに、より高いＣ／Ｉ比を使用することを示す。同様に、グラフ上の識別子、ｂは、ＤＴＸがオンでないＭＵＲＯＳ  ＳＡＣＣＨ（曲線２１４）が、ＤＴＸがオンでないＭＵＲＯＳ  ＴＣＨ（曲線２１３）と比べて、１％のＦＥＲを実現するのに、より高いＣ／Ｉ比を使用することを示す。
【０２０９】
値ｃおよびｄは、ＭＵＲＯＳ／ＶＡＭＯＳ受信機に関して、ＤＴＸがオンである場合のＴＣＨ（曲線２１５）およびＳＡＣＣＨ（曲線２１６）のパフォーマンス向上を表す。例えば、グラフ上の識別子ｄは、ＤＴＸを使用しないＭＵＲＯＳ  ＳＡＣＣＨ（曲線２１４）が、ＤＴＸを使用するシフテッドＳＡＣＣＨ（曲線２１６）と比べて、１％のＦＥＲを実現するのに、より高いＣ／Ｉ比を要求することを示す。
【０２１０】
同様に、グラフ上の識別子ｃは、ＤＴＸを使用しないＭＵＲＯＳ  ＴＣＨ（曲線２１３）が、ＤＴＸがオンであるＭＵＲＯＳ  ＴＣＨ（曲線２１５）と比べて、１％のＦＥＲを実現するのに、より高いＣ／Ｉ比を要求することを示す。簡単のため、１％のＦＥＲポイントが、ＴＣＨとＳＡＣＣＨの両方に関して使用される。このため、ＶＡＭＯＳが導入された場合のＳＡＣＣＨのパフォーマンス低下は、以下のとおり得られることが可能である。すなわち、
【数１】
2014161073.tif 000008
【０２１１】
上記から、パフォーマンス低下は、ＤＴＸがオン（すなわち、アクティブ）である場合に、より大きいことを見て取ることができる。つまり、ＳＡＣＣＨに関して１％のＦＥＲを実現するのに使用されるＣ／Ｉの、ＴＣＨに関して使用されるＣ／Ｉに対する比、すなわち、ＳＡＣＣＨに関連する低下は、レガシーＤＡＲＰ遠隔局１２３〜１２７の場合と比べて、レガシーＭＵＲＯＳ遠隔局１２３〜１２７に関してより大きく、すなわち、
【数２】
2014161073.tif 000009
【０２１２】
である。
【０２１３】
レガシーＭＵＲＯＳ遠隔局は、タイムシフテッドＳＡＣＣＨモード、またはシフテッドＳＡＣＣＨモードを使用しない。非レガシーＭＵＲＯＳ遠隔局は、タイムシフテッドＳＡＣＣＨを使用し、すなわち、シフテッドＳＡＣＣＨモードで動作する。
【０２１４】
シフテッドＳＡＣＣＨ方法がＭＵＲＯＳユーザに関して使用される場合、状況は、改善される。つまり、第１の遠隔局に向けて第１の基地局によって送信されるＳＡＣＣＨ信号は、第２の遠隔局に向けて第１の基地局によって送信されるＳＡＣＣＨ信号に干渉しないため、パフォーマンス低下はより小さい。同様に、第２の遠隔局に向けて第１の基地局によって送信されるＳＡＣＣＨ信号は、第１の遠隔局に向けて第１の基地局によって送信されるＳＡＣＣＨ信号に干渉しない。
【０２１５】
ＳＡＣＣＨ信号は、互いにタイムシフトされるため、すなわち、ＳＡＣＣＨ信号は、実質的に同時でないため干渉しない。シフテッドＳＡＣＣＨモードに関して、ＴＣＨに対するＳＡＣＣＨの相対パフォーマンスは、レガシーＤＡＲＰ受信機のそのような相対パフォーマンスと比べてさえ、より小さいことが可能である。
【０２１６】
したがって、ＳＡＣＣＨ  ｄｅｇｒａｄ３は、０より小さいことが可能である。
【０２１７】
ＳＡＣＣＨ  Ｃ／ＩパフォーマンスとＴＣＨ  Ｃ／Ｉパフォーマンスの差は、シフテッドＳＡＣＣＨを使用することによって小さくすることが可能である。ＳＡＣＣＨのリンクレベルパフォーマンスは、ＴＣＨとよりよく合致する。つまり、１％のＦＥＲを実現するのにＳＡＣＣＨによって使用されるＣ／Ｉは、第１の遠隔局に関するＳＡＣＣＨが、第２の遠隔局に関するＳＡＣＣＨに対して互い違いにされた、またはタイムシフトされた場合、ＴＣＨによって使用されるＣ／Ｉにはるかに近くなる。このことは、ＴＣＨ通信チャネルが十分なパフォーマンスを示しながら、ＳＡＣＣＨ通信チャネルがパフォーマンス低下を被る状況に関して音声（ボイス）容量を増加させる。
【０２１８】
シミュレーション想定
シミュレーション想定が、以下の表７に示される。
【表６】
2014161073.tif 000010
【０２１９】
シミュレーション結果
図２２Ａは、ＤＴＸを使用しないＴＣＨパフォーマンスおよびＳＡＣＣＨパフォーマンスのグラフである。曲線２２１は、ＳＡＣＣＨに関するパフォーマンスを表し、曲線２２２は、ＴＣＨに関するパフォーマンスを表す。ＤＴＸは、１秒の平均アクティブ期間で０．６のアクティブを有するマルコフ状態モデルによってモデル化された。
【０２２０】
図２２Ｂは、ＤＴＸを使用するＴＣＨおよびＳＡＣＣＨのパフォーマンス、ならびにＤＴＸを使用しないＴＣＨおよびＳＡＣＣＨのパフォーマンスのグラフである。曲線２２３は、ＤＴＸを使用するＴＣＨに関するパフォーマンスを表し、曲線２２４は、ＤＴＸを使用しないＴＣＨに関するパフォーマンスを表し、曲線２２５は、ＤＴＸを使用しないＳＡＣＣＨに関するパフォーマンスを表し、さらに曲線２２６は、ＤＴＸを使用するＳＡＣＣＨに関するパフォーマンスを表す。
【０２２１】
ＤＴＸを使用するＳＡＣＣＨ相対パフォーマンス、およびＤＴＸを使用しないＳＡＣＣＨ相対パフォーマンスのシミュレーション結果が、以下の表８および表９に示される。
【表７】
2014161073.tif 000011
【表８】
2014161073.tif 000012
【０２２２】
前述の表８から、ハーフレートチャネル符号器４．７５に関するトラヒックチャネル（ＴＣＨ／ＡＨＳ４．７５）に対するＳＡＣＣＨの相対パフォーマンスは、レガシーＤＡＲＰ受信機において見られる低下（第２の列）と比べて、ＤＴＸがオンである場合のレガシーＭＵＲＯＳモード（第４の列）において、より低下していることを見て取ることができる。モバイル電話システム１（ＭＴＳ１）における相対値は、２．６ｄＢから３．１ｄＢまでである。レガシーＤＡＲＰ受信機と比較された、ＭＵＲＯＳモードにおけるＴＣＨ／ＡＨＳ４．７５に対するＳＡＣＣＨの低下は、０．８ｄＢから１．３ｄＢまでである。シフテッドＳＡＣＣＨ方法が使用される場合、ＳＡＣＣＨの相対パフォーマンスは、レガシーＤＡＲＰ受信機より良好である。
【０２２３】
同一の状況が、表９に示されるＭＴＳ２の例においても存在する。低下は、ＤＴＸがオンである場合、１．１ｄＢから１．７ｄＢまでである。シフテッドＳＡＣＣＨ方法が使用された場合、ＴＣＨに対するＳＡＣＣＨ相対パフォーマンスの損失は、モバイル電話機システム２（ＭＴＳ２）シナリオにおいて、１．７ｄＢから０．１ｄＢに小さくなる。
【０２２４】
この場合のシミュレーション結果は、最大低下値ではないことに留意されたい。ＳＣＰＩＲ干渉タイプなどのいくつかの態様が、低下値に影響する可能性がある。その場合、ＶＡＭＯＳに関するＳＡＣＣＨのリンクレベルパフォーマンス低下は、無視されない可能性がある。
【０２２５】
ＳＡＣＣＨパフォーマンスの一例において、絶対パフォーマンスが、ＤＡＲＰ受信機の規定点に照らして調べられる。この値は、表１０に示される。次に、関連する制御チャネル（ＡＣＣＨ）パフォーマンス評価の別の基準が測定される。トラヒックチャネルと比較されたＡＣＣＨの相対パフォーマンスが、リンクレベルでシミュレートされた。
【表９】
2014161073.tif 000013
【０２２６】
別の例において、ＤＴＸモードにおけるＳＡＣＣＨ対ＴＣＨの相対パフォーマンスがさらに考慮される。シミュレーション結果が、表１１および表１２に与えられる。表１２は、シフテッドＳＡＣＣＨを使用する利点を示す。
【表１０】
2014161073.tif 000014
【表１１】
2014161073.tif 000015
【０２２７】
表１１から、ＳＡＣＣＨとＴＣＨの相対値は、ＶＡＭＯＳが導入された場合、約１．７ｄＢ低下することを見て取ることができる。シフテッドＳＡＣＣＨが使用された場合、ＳＡＣＣＨのパフォーマンスは、向上させられ、１％のＦＥＲのためにＳＡＣＣＨによって使用されるＣ／Ｉと、ＴＣＨによって使用されるＣ／Ｉの相対値は、レガシーの非ＶＡＭＯＳレベルに維持される。それらの結果は、表１２の最後の行で見ることができる。
【０２２８】
さらに、前述のすべての結果は、２６マルチフレームの全体にわたる決められたＳＣＰＩＲに基づく。さらなるＳＡＣＣＨパフォーマンス向上のために、ＳＣＰＩＲが、ＳＡＣＣＨフレーム割当て時に調整されることが可能である。同一の送信電力レベルで、ＳＡＣＣＨサブチャネルは、より高い電力比を有することが可能であるのに対して、ＴＣＨサブチャネルは、わずかに低い電力比を有する。ＳＡＣＣＨとＴＣＨの相対パフォーマンスは、適切なＳＣＰＩＲ値を使用して、さらに向上させられることが可能である。
【０２２９】
適合性の考慮事項
遠隔局１２３〜１２７に対する影響
提示される概念の動作は、ペアにされたユーザにおいてシフテッドＳＡＣＣＨマッピングをサポートする少なくとも１つのＶＡＭＯＳ移動局を使用する。ＶＡＭＯＳ移動局は、２６マルチフレーム内で新たなマッピング方法を使用して動作することができる。シフテッドＳＡＣＣＨマッピングのサポートは、ネットワークに通知される。遠隔端末装置１２３〜１２７の測定結果に対して最小限の影響しか存在せず、ハードウェア実施形態に対しても最小限の影響しか存在しない。
【０２３０】
ＢＳ１１０、１１１、１１４に対する影響
送信機と受信機の両方が、ＶＡＭＯＳモードにおける新たなマッピング方法を実施するのに使用される。ＢＳ１１０、１１１、１１４がダウンリンク電力制御をトリガすると、２つのサブチャネル間のＳＡＣＣＨ情報に関するいくつかのフレームの遅延が考慮に入れられ得る。ＢＳ１１０、１１１、１１４によって決定されるダウンリンク電力レベルは、影響を受けない測定結果のため、レガシーマッピング方法の場合と同一に保たれる。アップリンク電力制御に関して、ＢＳ１１０、１１１、１１４は、２つのサブチャネルに関する測定を別々に扱い、測定結果に基づいて、２つのサブチャネルに関するアップリンク電力レベルを決定する。シフテッドＳＡＣＣＨ方法とレガシーＳＡＣＣＨ方法の違いは、電力制御コマンドが、同一のフレームで２つのユーザに送れない可能性があることである。遠隔端末装置１２３〜１２７側における受信時間は、これらの電力制御コマンドの間にわずかな間隔を有する。電力制御期間は、通常、１．５秒なので、そのような小さい間隔は、有意ではない可能性がある。
【０２３１】
ＳＡＣＣＨフレーム位置をシフトするだけである場合、最小限のトラヒックチャネルパフォーマンス低下しか存在しない。ＳＡＣＣＨフレームがシフトされた後のＴＣＨフレーム位置変化に関して、最大音声ブロック間隔は、レガシーマッピング事例と比べて、１つだけフレームが多い。この種の許容差は、ＢＳ１１０、１１１、１１４によって容認され得る。
【０２３２】
シフテッドＳＡＣＣＨ方法を使用することは、ＶＡＭＯＳモードにおけるユーザのマッピングスキームに影響を与える。このため、ＶＡＭＯＳモードを使用することによってもたらされる影響と比べて、ＡｂｉｓインターフェースおよびＡインターフェースに対する有意でない影響が存在する。
【０２３３】
前述の例において、ＳＡＣＣＨ相対パフォーマンスに対するＤＴＸの影響が分析され、いくつかのシミュレーション結果が提示された。それらの分析およびシミュレーション結果から、ＳＡＣＣＨのリンクレベルパフォーマンスは、特にＤＴＸモードにおいてシフテッドＳＡＣＣＨ方法を使用することから利益を得ることが可能であることが見て取れ得る。
【０２３４】
前述の分析から、シフテッドＳＡＣＣＨは、レガシーの非ＶＡＭＯＳレベルにおけるＴＣＨと比べて、ＳＡＣＣＨの相対パフォーマンスを向上させる目的を達する簡単なソリューションである。さらに、ＳＡＣＣＨフレーム割当てを移すことは、ＳＣＰＩＲを単に調整することによって、ＳＡＣＣＨとＴＣＨの間のパフォーマンスのバランスをとる、より高い柔軟性を許す。
【０２３５】
別の例において、繰り返されるＳＡＣＣＨを使用することは、ＳＡＣＣＨのパフォーマンスを向上させる代替のソリューションである。
【０２３６】
この説明において説明され、添付の図面に示される方法ステップは、本発明の範囲を逸脱することなく、入れ替えられることが可能であることが当業者には理解されよう。
【０２３７】
情報および信号は、様々な異なる技術および技法のいずれかを使用して表されることが可能であることが当業者には認識されよう。例えば、この説明で言及され得るデータ、命令、コマンド、情報、信号、ビット、およびシンボルは、電圧、電流、電磁波、磁界または磁気粒子、光の場または光の粒子、あるいは以上の任意の組合せによって表され得る。
【０２３８】
本明細書で開示される実施例に関連して説明される様々な例示的な論理ブロック、モジュール、回路、およびアルゴリズムステップは、電子ハードウェアとして、コンピュータソフトウェアとして、あるいは電子ハードウェアとコンピュータソフトウェアの組合せとして実施され得ることが当業者にはさらに認識されよう。ハードウェアとソフトウェアの、この互換性を明確に示すのに、様々な例示的な構成要素、ブロック、モジュール、回路、およびステップは、以上において、概ね機能の点で説明されてきた。そのような機能がハードウェアとして実施されるか、またはソフトウェアとして実施されるかは、全体的なシステムに課せられた特定の応用上、および設計上の制約に依存する。当業者は、それぞれの特定の用途のために、説明される機能を様々な仕方で実施することが可能であるが、そのような実施上の決定が、本発明の範囲からの逸脱を生じさせるものと解釈してはならない。
【０２３９】
本明細書で開示される実施例に関連して説明される様々な、例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートのゲートまたはトランジスタロジック、ディスクリートのハードウェア構成要素、あるいは本明細書で説明される機能を実行するように設計された以上の任意の組合せを使用して実施される、または実行されることが可能である。汎用プロセッサは、マイクロプロセッサであることが可能であるが、代替として、プロセッサは、任意の従来のプロセッサ、コントローラ、マイクロコントローラ、または状態マシンであってもよい。プロセッサは、コンピューティングデバイスの組合せとして、例えば、ＤＳＰとマイクロプロセッサの組合せ、複数のマイクロプロセッサ、ＤＳＰコアと連携する１つまたは複数のマイクロプロセッサ、あるいは他の任意のそのような構成として実施されることも可能である。
【０２４０】
本明細書で開示される実施例に関連して説明される方法またはアルゴリズムのステップは、ハードウェアで直接に、プロセッサによって実行されるソフトウェアモジュールで、またはハードウェアとそのようなソフトウェアモジュールの組合せで実施されることが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当技術分野で知られている他の任意の形態の記憶媒体の中に存在することが可能である。例示的な記憶媒体は、プロセッサが、その記憶媒体から情報を読み取ること、およびその記憶媒体に情報を書き込むことができるように、プロセッサに結合される。別の例において、記憶媒体は、プロセッサと一体となっていることが可能である。このプロセッサと記憶媒体は、ＡＳＩＣ内に存在することが可能である。このＡＳＩＣは、ユーザ端末装置内に存在することが可能である。代替として、このプロセッサと記憶媒体は、ユーザ端末装置内のディスクリートの構成要素として存在してもよい。
【０２４１】
開示される実施例の説明は、任意の当業者が本発明を作成する、または使用することを可能にするように与えられる。これらの実施例の様々な変形が、当業者には直ちに明白となり、本明細書で規定される一般的原理は、本発明の趣旨および範囲を逸脱することなく、他の実施例にも適用されることが可能である。このため、本発明は、本明細書で示される実施例に限定されることは意図しておらず、本明細書で開示される原理、および新奇な特徴と合致する最も広い範囲を与えられるべきものとする。
【図１】
2014161073.tif 000016
【図２】
2014161073.tif 000017
【図３】
2014161073.tif 000018
【図４】
2014161073.tif 000019
【図５】
2014161073.tif 000020
【図６】
2014161073.tif 000021
【図７】
2014161073.tif 000022
【図８】
2014161073.tif 000023
【図９】
2014161073.tif 000024
【図１０】
2014161073.tif 000025
【図１１ａ】
2014161073.tif 000026
【図１１ｂ】
2014161073.tif 000027
【図１２Ａ】
2014161073.tif 000028
【図１２Ｂ】
2014161073.tif 000029
【図１３】
2014161073.tif 000030
【図１４】
2014161073.tif 000031
【図１５】
2014161073.tif 000032
【図１６】
2014161073.tif 000033
【図１７】
2014161073.tif 000034
【図１８】
2014161073.tif 000035
【図２１】
2014161073.tif 000036
【図２２Ａ】
2014161073.tif 000037
【図２２Ｂ】
2014161073.tif 000038
【図１９】
2014161073.tif 000039
【図２０】
2014161073.tif 000040
【手続補正書】
【提出日】平成26年5月1日(2014.5.1)
【手続補正１】
【補正対象書類名】特許請求の範囲
【補正対象項目名】全文
【補正方法】変更
【補正の内容】
【特許請求の範囲】
【請求項１】
ダウンリンク高度受信機パフォーマンス（ＤＡＲＰ）を有する複数の遠隔局に各遠隔局宛ての制御データおよび情報データを送信する方法であって、
異なる遠隔局に向けられた制御データの前記送信は、単一の遠隔局における前記データの衝突を回避するために時間的にずらされて、同一のチャネルで送信され、制御データの前記送信の電力は、その制御データに関し意図される前記遠隔局までの距離に応じて調整される方法。
【請求項２】
１つの遠隔局に向けられた前記制御データは１つのソースから送信され、別の遠隔局に向けられた制御データは、別の異なるソースから送信される請求項１に記載の方法。
【請求項３】
前記制御データは、単一のソースから前記複数の遠隔局に送信される請求項１に記載の方法。
【請求項４】
制御データは、情報データと同時に送信されることが可能である請求項１，２、または３のいずれか１つに記載の方法。
【請求項５】
少なくとも１つの基地局と、複数の遠隔局とを備える通信システムであって、
前記遠隔局に向けられたトラヒックデータおよびシグナリングデータは、前記少なくとも１つの基地局によって、トラヒックフレームおよびシグナリングフレームの定義された系列で送信され、
前記遠隔局の少なくとも２つは、ダウンリンク高度受信機パフォーマンス（ＤＡＲＰ）を有し、その２つの遠隔局のそれぞれのトラヒックフレームおよびシグナリングフレームを、同一チャネル上で受信するように構成され、
前記少なくとも２つの遠隔局の前記系列は、前記２つの遠隔局のそれぞれについての前記シグナリングフレームが、前記定義された系列において異なる位置を占めるように定義されている、
通信システム。
【請求項６】
前記トラヒックデータはトラヒック電力レベルで送信され、前記シグナリングデータはシグナリング電力レベルで送信され、
前記シグナリング電力レベルは、１つの遠隔局についてのシグナリングフレームと、別の遠隔局についてのトラヒックフレームとが同一の位置を占めるとき、前記トラヒック電力レベルより高くなるように制御される、
請求項５に記載の通信システム。
【請求項７】
請求項５に記載の通信システムにおいて使用するための、ダウンリンク高度受信機パフォーマンス（ＤＡＲＰ）を有する遠隔局であって、
前記遠隔局用の前記遠隔局向けのデータを、別の遠隔局向けのデータと一緒に、同一の周波数および同一のタイムスロット内で受信する第１の受信する手段と、
前記別の遠隔局向けのシグナリングデータを受信するために割り当てられた第２の時間間隔とは異なる第１の時間間隔中に、前記遠隔局用の前記遠隔局向けのシグナリングデータを受信する第２の受信する手段と、
前記遠隔局が前記第２の受信する手段を備えるという通知を送信する手段と、
を備える遠隔局。
【請求項８】
前記第２の受信する手段は、前記別の遠隔局向けのトラヒックデータを送信するために割り当てられた時間間隔中に、前記遠隔局用の前記遠隔局向けの前記シグナリングデータを受信するように構成される請求項７に記載の遠隔局。
【請求項９】
通信システムの基地局において使用するための送信装置であって、
少なくとも２つの遠隔局向けのトラヒックデータおよびシグナリングデータを、同一チャネルを使用して、トラヒックフレームおよびシグナリングフレームの定義された系列で送信する手段を備え、
前記少なくとも２つの遠隔局は、ダウンリンク高度受信機パフォーマンス（ＤＡＲＰ）を有し、
前記少なくとも２つの遠隔局の前記系列は、前記２つの遠隔局のそれぞれに向けた前記シグナリングフレームが前記定義された系列中で異なる位置を占めるように定義されている、送信装置。
【請求項１０】
前記トラヒックデータをトラヒック電力レベルで送信する手段と、
前記シグナリングデータをシグナリング電力レベルで送信する手段と、
１つの遠隔局向けのシグナリングフレームと別の遠隔局に向けのトラヒックフレームとが同一の位置を占めるとき、前記トラヒック電力レベルより高くなるように前記シグナリング電力レベルを制御する手段と、
を備える請求項９に記載の送信装置。
【請求項１１】
１つの遠隔局が、別の異なる遠隔局に向けのシグナリングデータを送信するために割り当てられた第２の時間間隔とは異なる第１の時間間隔中に送信されたシグナリングデータを受信することができるという通知を受信する手段と、
前記第１の時間間隔中に前記１つの遠隔局向けのシグナリングデータを送信し、前記第２の時間間隔中に別の異なる遠隔局向けのシグナリングデータを送信する手段と、
を備える請求項９または１０に記載の送信装置。
【請求項１２】
さらに、不連続送信ＤＴＸを使用して前記トラヒックデータを送信する手段を備える請求項９から１１のいずれか１つの記載の送信装置。
【請求項１３】
プロセッサと、
前記プロセッサと電子通信するメモリと、
前記メモリに記憶された命令と、
を備え、
前記命令は前記プロセッサが、少なくとも２つの遠隔局向けのトラヒックデータおよびシグナリングデータを、同一チャネルを使用して、トラヒックフレームおよびシグナリングフレームの定義された系列で送信することを可能にし、前記少なくとも２つの遠隔局は、ダウンリンク高度受信機パフォーマンス（ＤＡＲＰ）を有し、
前記少なくとも２つの遠隔局の前記系列は、前記２つの遠隔局のそれぞれに向けた前記シグナリングフレームが前記定義された系列中で異なる位置を占めるように定義されている、
送信装置。
【請求項１４】
コンピュータにデータを送信させるコードを含むコンピュータプログラムであって、
前記コードは、
少なくとも２つの遠隔局向けのトラヒックデータおよびシグナリングデータを、同一チャネルを使用して、トラヒックフレームおよびシグナリングフレームの定義された系列で送信させる命令を含み、前記少なくとも２つの遠隔局は、ダウンリンク高度受信機パフォーマンス（ＤＡＲＰ）を有し、
前記少なくとも２つの遠隔局の前記系列は、前記２つの遠隔局のそれぞれに向けた前記シグナリングフレームが前記定義された系列中で異なる位置を占めるように定義されている、
コンピュータプログラム。
【手続補正２】
【補正対象書類名】明細書
【補正対象項目名】０２４１
【補正方法】変更
【補正の内容】
【０２４１】
開示される実施例の説明は、任意の当業者が本発明を作成する、または使用することを可能にするように与えられる。これらの実施例の様々な変形が、当業者には直ちに明白となり、本明細書で規定される一般的原理は、本発明の趣旨および範囲を逸脱することなく、他の実施例にも適用されることが可能である。このため、本発明は、本明細書で示される実施例に限定されることは意図しておらず、本明細書で開示される原理、および新奇な特徴と合致する最も広い範囲を与えられるべきものとする。
以下に、本願出願の当初の特許請求の範囲に記載された発明を付記する。
［１］  第１のデータソースと、
時間基準と、
第１の時間遅延されたデータを生成するために、前記時間基準に対し時間オフセットだけ前記第１のデータを遅延させる、前記第１のデータソースおよび前記時間基準に結合された時間オフセットアロケータと、
第１の送信データを生成するために、前記第１の時間遅延されたデータを変調し、増幅し、送信する、前記時間オフセットアロケータに結合された送信機と、
前記時間オフセットアロケータの動作を制御するための、前記時間基準、前記時間オフセットアロケータ、および前記送信機に結合されたプロセッサと、
前記プロセッサが使用する第２のデータと命令とを記憶する、前記プロセッサに結合されたメモリと、前記第２のデータは第１の遅延値を表すデータを備える、
を備える送信装置であって、
前記送信装置は、前記時間基準および前記第１の遅延値に応じて、第１の時間遅延だけ前記第１のデータを遅延させるように構成された送信装置。
［２］  前記第１の遅延値は、データフレームの総数に対応する請求項［１］記載の送信装置。
［３］  前記送信装置は、さらに、前記時間オフセットアロケータに結合された第３のデータソースを備え、
前記第２のデータは、第２の遅延値を表すデータをさらに備え、
前記送信装置は、さらに、第２の時間遅延されたデータを生成するために、前記時間基準および前記第２の遅延値に応じて、第２の時間遅延だけ前記第３のデータを遅延させるように構成され、
前記送信機は、さらに、第２の送信データを生成するために、前記第２の時間遅延されたデータを変調し、送信するように構成される、
［１］記載の送信装置。
［４］  前記第１の時間遅延と前記第２の時間遅延は、少なくとも１フレームである量だけ異なる［３］記載の送信装置。
［５］  前記第２の時間遅延は、前記第１のデータの持続時間以上である［３］記載の送信装置。
［６］  前記送信機は、さらに、前記第１のデータの一部分を、前記第１のデータの残りの部分とは異なる量だけ増幅するように構成される［１］または［３］記載の送信装置。
［７］  前記第１のデータの前記一部分はシグナリングデータを備え、前記残りの部分はトラヒックデータを備える［６］記載の送信装置。
［８］  複数の宛先に制御データおよび情報データを送信する方法であって、
異なる宛先に向けられた制御データの前記送信は、単一の宛先における前記データの衝突を回避するために時間的にずらされ、制御データの前記送信の電力は、その制御データに関し意図される前記宛先までの距離に応じて調整される方法。
［９］  １つの宛先に向けられた前記制御データは１つのソースから送信され、別の宛先に向けられた制御データは、別の異なるソースから送信される［８］記載の方法。
［１０］  前記制御データは、単一のソースから前記複数の宛先に送信される［８］記載の方法。
［１１］  制御データは、情報データと同時に送信されることが可能である［８］、［９］、または［１０］のいずれか１つに記載の方法。
［１２］  シグナリングデータを備える前記第１のデータの前記一部分は遅延させられ、トラヒックデータを備える前記第１のデータの別の異なる部分の少なくとも一部は遅延させられない［７］に記載の送信装置。
［１３］  前記第１の時間遅延されたデータと前記第２の時間遅延されたデータを同一の周波数および同一の時分割多元接続ＴＤＭＡのタイムスロットの中で送信する手段を備える［３］に記載の送信装置。
［１４］  前記第１のデータの第１の部分はシグナリングデータを備え、前記第１のデータの前記第１の部分とは異なる第２の部分はトラヒックデータを備え、
前記送信装置は、前記第１のデータの前記第２の部分を、不連続送信ＤＴＸを使用して送信する手段を備える、
［１］または［３］に記載の送信装置。
［１５］  フルレート未満であるデータレートで前記第１のデータの前記第２の部分を送信する手段をさらに備える［１４］に記載の送信装置。
［１６］  少なくとも１つの基地局と、複数の遠隔局とを備える通信システムであって、
前記遠隔局に向けられたトラヒックデータおよびシグナリングデータは、前記少なくとも１つの基地局によって、トラヒックフレームの定義された系列およびシグナリングフレームの定義された系列で送信され、
前記遠隔局の少なくとも２つは、その２つの遠隔局のそれぞれのトラヒックフレームおよびシグナリングフレームを、同時に、および同一の周波数で受信するように構成され、
前記少なくとも２つの遠隔局の前記系列は、前記２つの遠隔局のそれぞれについての前記シグナリングフレームが、前記定義された系列において異なる位置を占めるように定義されている、通信システム。
［１７］  前記トラヒックデータはトラヒック電力レベルで送信され、前記シグナリングデータはシグナリング電力レベルで送信され、
前記シグナリング電力レベルは、１つの遠隔局についてのシグナリングフレームと、別の遠隔局についてのトラヒックフレームとが同一の位置を占めるとき、前記トラヒック電力レベルより高くなるように制御される、
［１６］に記載の通信システム。
［１８］  ［１６］に記載の通信システムにおいて使用するための遠隔局であって、
前記遠隔局用の前記遠隔局向けのデータを、別の遠隔局向けのデータと一緒に、同一の周波数および同一のタイムスロット内で受信する第１の受信する手段と、
前記別の遠隔局向けのシグナリングデータを受信するために割り当てられた第２の時間間隔とは異なる第１の時間間隔中に、前記遠隔局用の前記遠隔局向けのシグナリングデータを受信する第２の受信する手段と、
前記遠隔局が前記第２の受信する手段を備えるという通知を送信する手段と、
を備える遠隔局。
［１９］  前記第２の受信する手段は、前記別の遠隔局向けのトラヒックデータを送信するために割り当てられた時間間隔中に、前記遠隔局用の前記遠隔局向けの前記シグナリングデータを受信するように構成される［１８］に記載の遠隔局。
［２０］  通信システムの基地局において使用するための送信装置であって、
少なくとも２つの遠隔局向けのトラヒックデータおよびシグナリングデータを、トラヒックフレームの定義された系列およびシグナリングフレームの定義された系列で送信する手段を備え、前記少なくとも２つの遠隔局の前記系列は、前記２つの遠隔局のそれぞれに向けた前記シグナリングフレームが前記定義された系列中で異なる位置を占めるように定義されている、送信装置。
［２１］  前記トラヒックデータをトラヒック電力レベルで送信する手段と、
前記シグナリングデータをシグナリング電力レベルで送信する手段と、
１つの遠隔局向けのシグナリングフレームと別の遠隔局に向けのトラヒックフレームとが同一の位置を占めるとき、前記トラヒック電力レベルより高くなるように前記シグナリング電力レベルを制御する手段と、
を備える［２０］に記載の送信装置。
［２２］  １つの遠隔局が、別の異なる遠隔局に向けのシグナリングデータを送信するために割り当てられた第２の時間間隔とは異なる第１の時間間隔中に送信されたシグナリングデータを受信することができるという通知を受信する手段と、
前記第１の時間間隔中に前記１つの遠隔局向けのシグナリングデータを送信し、前記第２の時間間隔中に別の異なる遠隔局向けのシグナリングデータを送信する手段と、
を備える［２０］または［２１］に記載の送信装置。
［２３］  さらに、不連続送信ＤＴＸを使用して前記トラヒックデータを送信する手段を備える［２０］から［２２］のいずれか１つの記載の送信装置。
［２４］  プロセッサと、
前記プロセッサと電子通信するメモリと、
前記メモリに記憶された命令と、
を備え、
前記命令は前記プロセッサが、少なくとも２つの遠隔局向けのトラヒックデータおよびシグナリングデータを、トラヒックフレームの定義された系列およびシグナリングフレームの定義された系列で送信することを可能にし、前記少なくとも２つの遠隔局の前記系列は、前記２つの遠隔局のそれぞれに向けた前記シグナリングフレームが前記定義された系列中で異なる位置を占めるように定義されている、送信装置。
［２５］  コンピュータにデータを送信させるコードを含むコンピュータ可読媒体を備えるコンピュータプログラム製品であって、
前記コードは、
少なくとも２つの遠隔局向けのトラヒックデータおよびシグナリングデータを、トラヒックフレームの定義された系列およびシグナリングフレームの定義された系列で送信させるコードを含み、前記少なくとも２つの遠隔局の前記系列は、前記２つの遠隔局のそれぞれに向けた前記シグナリングフレームが前記定義された系列中で異なる位置を占めるように定義されている、
コンピュータプログラム製品。
【外国語明細書】
2014161073000001.pdf